(57)【特許請求の範囲】
【請求項１】
外部電源から供給される電力によって車室内の空調を実行可能に構成された車両用空調装置であって、
前記車室内へ送風される送風空気の温度を調整するとともに、前記外部電源から供給される電力によって作動する電動式構成機器（１１、１６ａ、３２、４０ａ）を有する温度調整手段（１０、４０）を備え、
前記温度調整手段は、蒸気圧縮式の冷凍サイクル（１０）であって、
前記電動式構成機器は、前記冷凍サイクル（１０）において冷媒を圧縮して吐出する圧縮機（１１）を少なくとも包含しており、
前記車室内の空調を実行するときであって、前記外部電源からの電力の供給時には、前記外部電源からの電力の非供給時よりも、前記電動式構成機器（１１、１６ａ、３２、４０ａ）のうち少なくとも前記圧縮機（１１）の能力を低下させ、かつ、前記電動式構成機器の使用可能な消費電力の上限値から実際の消費電力を減算した消費電力差の増加に伴って前記圧縮機（１１）の回転数変化量の上限値を増加させるようになっており、
さらに、前記外部電源から供給される電力によって車室内の空調を実行する際に、前記電動式構成機器（１１、１６ａ、３２、４０ａ）の消費電力が、前記外部電源から前記電動式構成機器および車両に搭載されたバッテリ（８１）へ供給される供給電力以上となることを特徴とする車両用空調装置。
【請求項２】
前記電動式構成機器（１１、１６ａ、３２、４０ａ）は、前記外部電源からの電力の非供給時には、車両に搭載されたバッテリ（８１）から供給される電力によって作動することを特徴とする請求項１に記載の車両用空調装置。
【請求項３】
前記外部電源から供給される電力によって車室内の空調を実行する際には、前記外部電源からの電力の非供給時よりも、前記圧縮機（１１）の冷媒吐出能力の上限値を低下させることを特徴とする請求項１または２に記載の車両用空調装置。
【請求項４】
前記外部電源から供給される電力によって車室内の空調を実行する際に、車両に搭載されたバッテリ（８１）の蓄電残量が予め定めた基準停止蓄電残量以下に低下したときに、前記電動式構成機器の使用可能な消費電力の上限値を低下させることを特徴とする請求項１ないし３のいずれか１つに記載の車両用空調装置。
【請求項５】
前記電動式構成機器として、さらに、前記車室内へ向かって空気を送風する送風機（３２）を備えており、
前記外部電源から供給される電力によって車室内の空調を実行する際に、車両に搭載されたバッテリ（８１）の蓄電残量が予め定めた基準停止蓄電残量以下に低下したときに、前記圧縮機（１１）および前記送風機（３２）を停止することを特徴とする請求項１ないし４のいずれか１つに記載の車両用空調装置。
【請求項６】
前記外部電源から供給される電力によって車室内の空調を実行する際には、前記電動式構成機器（１１、１６ａ、３２、４０ａ）の使用可能な消費電力の上限値を、時間経過に伴って徐々に低下させることを特徴とする請求項１ないし５のいずれか１つに記載の車両用空調装置。
【請求項７】
前記外部電源から供給される電力によって車室内の空調を実行する際には、前記圧縮機（１１）の冷媒吐出能力の上限値を、時間経過に伴って徐々に低下させることを特徴とする請求項６に記載の車両用空調装置。
【請求項８】
前記温度調整手段として、さらに、前記車室内へ送風される送風空気を加熱する加熱用熱交換器（３６）に熱源媒体を流通させる熱源媒体回路（４０）を備えることを特徴とする請求項１ないし７のいずれか１つに記載の車両用空調装置。
【発明の詳細な説明】
【技術分野】
【０００１】
本発明は、外部電源から供給された電力によって、車室内の空調を実行可能に構成された車両用空調装置に関する。
【背景技術】
【０００２】
従来、エンジンおよび走行用電動モータから走行用の駆動力を得る、ハイブリッド車両が知られている。この種のハイブリッド車両では、車両燃費向上のために、車両の停車時あるいは走行時であってもエンジンを停止させることがある。
【０００３】
そのため、ハイブリッド車両に適用される車両用空調装置において、車室内へ送風される送風空気を冷却あるいは加熱する冷凍サイクル装置の圧縮機として、エンジンから駆動力を得るエンジン駆動式のものを採用すると、エンジンの停止時に圧縮機を駆動することができず、車室内の適切な空調を実現できなくなってしまう。
【０００４】
これに対して、特許文献１には、冷凍サイクル装置の圧縮機として、車載のバッテリから供給される電力によって作動する電動圧縮機を採用し、エンジン停止時であっても電動圧縮機を作動させて車室内の空調を実現可能とした車両用空調装置が開示されている。
【０００５】
さらに、特許文献１のハイブリッド車両では、エンジンから駆動力を得て発電する発電機から出力された電力をバッテリに充電しており、このバッテリの蓄電量が予め定めた所定蓄電量よりも低下した際に、エンジン停止時であってもエンジンを作動させてバッテリへの充電を行っている。
【０００６】
そこで、特許文献１の車両用空調装置では、エンジン停止時における圧縮機の冷媒吐出能力の上限値を、エンジン作動時の冷媒吐出能力の上限値よりも低く設定することで、エンジン停止時におけるバッテリの蓄電量の低下を抑制している。これにより、エンジンの作動頻度を低下させて車両燃費低下の抑制を図っている。
【先行技術文献】
【特許文献】
【０００７】
【特許文献１】特開２００３−２３７３５６号公報
【発明の概要】
【発明が解決しようとする課題】
【０００８】
ところで、昨今のハイブリッド車両には、車両停止時に外部電源（商用電源）からバッテリに充電することのできる、いわゆるプラグインハイブリッド車両と呼ばれるものがある。さらに、この種のプラグインハイブリッド車両では、外部電源からバッテリへの充電中に、乗員の乗車前に車室内の空調を行うプレ空調や、充電中に乗員が車室内で過ごす際の空調であるマイルーム空調を行うことができる。
【０００９】
このようなプレ空調時あるいはマイルーム空調時には、外部電源からバッテリへ充電されるので、バッテリを充電するためにエンジンを作動させる必要がない。従って、エンジン騒音は問題とはならない。しかしながら、プレ空調やマイルーム空調は長時間に亘って実行されることが多く、圧縮機や送風機等の電動式構成機器の作動音が乗員あるいは車室外の車両周囲に居る人にとって耳障りとなる可能性がある。
【００１０】
上記点に鑑みて、本発明は、外部電源から供給される電力によって車室内の空調を行う際に、適切な空調を実現しつつ、騒音の発生を抑制することを目的とする。
【課題を解決するための手段】
【００１１】
上記目的を達成するため、請求項１に記載の発明では、外部電源から供給される電力によって車室内の空調を実行可能に構成された車両用空調装置であって、
車室内へ送風される送風空気の温度を調整するとともに、外部電源から供給される電力によって作動する電動式構成機器（１１、１６ａ、３２、４０ａ）を有する温度調整手段（１０、４０）を備え、
温度調整手段は、蒸気圧縮式の冷凍サイクル（１０）であって、
電動式構成機器は、冷凍サイクル（１０）において冷媒を圧縮して吐出する圧縮機（１１）を少なくとも包含しており、
車室内の空調を実行するときであって、外部電源からの電力の供給時には、外部電源からの電力の非供給時よりも、電動式構成機器（１１、１６ａ、３２、４０ａ）のうち少なくとも圧縮機（１１）の能力を低下させ、かつ、電動式構成機器の使用可能な消費電力の上限値から実際の消費電力を減算した消費電力差の増加に伴って圧縮機（１１）の回転数変化量の上限値を増加させようになっており、
さらに、外部電源から供給される電力によって車室内の空調を実行する際に、電動式構成機器（１１、１６ａ、３２、４０ａ）の消費電力が、外部電源から電動式構成機器および車両に搭載されたバッテリ（８１）へ供給される供給電力以上となる車両用空調装置を特徴とする。
【００１２】
これによれば、外部電源からの電力の供給時には、外部電源からの電力の非供給時よりも、電動式構成機器（１１、１６ａ、３２、４０ａ）のうち少なくとも圧縮機（１１）の能力が低下するので、電動式構成機器（１１、１６ａ、３２、４０ａ）によって生じる騒音の発生を抑制することができる。
【００１３】
さらに、前述の如く、外部電源からの電力の供給時に実行されるプレ空調やマイルーム空調は長時間に亘って実行されるので、車両用空調装置の空調能力の多少の低下は、乗員に不快感を与えにくい。その結果、外部電源から供給される電力によって車室内の空調を行う際に、適切な空調を実現しつつ、騒音の発生を抑制できる。
上記に加えて、請求項１に記載の発明では、外部電源から供給される電力によって車室内の空調を実行する際に、電動式構成機器の使用可能な消費電力の上限値から実際の消費電力を減算した消費電力差の増加に伴って圧縮機（１１）の回転数変化量の上限値を増加させるから、上記消費電力差が小さいときには圧縮機（１１）の回転数変化量の上限値が小さいので、圧縮機（１１）の回転数急変を抑止して、実際の消費電力が電動式構成機器の使用可能な消費電力の上限値を超えてしまうことを防止できる。これにより、バッテリ（８１）の過放電を防止してバッテリ（８１）の劣化を効果的に抑制できる。
一方、上記消費電力差が大きいときには、圧縮機（１１）の回転数変化量の上限値を増加させることで、圧縮機（１１）の回転数変化量を大きくして、即効性の高い空調を実現することができる。
さらに、請求項１に記載の発明では、外部電源から供給される電力によって車室内の空調を実行する際に、電動式構成機器（１１、１６ａ、３２、４０ａ）の消費電力が、外部電源から電動式構成機器および車両に搭載されたバッテリ（８１）へ供給される供給電力以上となるので、外部電源からの供給電力が電動式構成機器の消費電力よりも小さくなる。このため、外部電源から供給される電力は電動式構成機器にて消費されることになり、その結果、バッテリ（８１）の過充電を抑制してバッテリ（８１）の保護を図ることができる。
また、電動式構成機器の消費電力を外部電源から供給される電力よりも僅かに大きい程度とすることにより、バッテリ（８１）から持ち出される電力が不必要に拡大してしまうことを抑制して、バッテリ（８１）の過放電も抑制できる。
【００１４】
なお、請求項に記載された「外部電源から供給される電力」には、外部電源側の電力端子に空調装置側の電力端子等を直接接続することによって供給される電力のみならず、外部電源側の給電用１次コイルから車両用空調装置側の受電用２次コイルへ非接触状態で電力を伝達する非接触給電によって供給される電力も含まれる。
【００１５】
また、「外部電源から供給される電力」には、外部電源から直接、車両用空調装置の構成機器へ供給される電力のみならず、外部電源からバッテリ等の蓄電手段を介して、間接的に供給される電力も含まれる。また、請求項に記載された「温度調整手段（１０、４０）」には、例えば、蒸気圧縮式の冷凍サイクルや、熱源媒体を加熱用熱交換器へ流通させる熱源媒体回路等が含まれる。
【００１６】
また、請求項に記載された「電動式構成機器（１１、１６ａ、３２、４０ａ）」には、例えば、冷凍サイクルにおいて、冷媒を圧縮して吐出する圧縮機、高圧冷媒を放熱させる放熱器へ空気を送風する送風機、低圧冷媒を状態させる蒸発器へ空気を送風する送風機等が含まれる。また、熱源媒体回路において、熱源媒体を圧送するポンプ等が含まれる。従って、電動式構成機器（１１、１６ａ、３２、４０ａ）の能力は、圧縮機であれば冷媒吐出能力となり、送風機であれば送風能力となり、ポンプであれば圧送能力となる。
【００１７】
請求項２に記載の発明のように、電動式構成機器（１１、１６ａ、３２、４０ａ）は、外部電源からの電力の非供給時には、車両に搭載されたバッテリ（８１）から供給される電力によって作動するようになっていてもよい。
【００１８】
請求項３に記載の発明では、請求項１または２に記載の車両用空調装置において、外部電源から供給される電力によって車室内の空調を実行する際には、外部電源からの電力の非供給時よりも、圧縮機（１１）の冷媒吐出能力の上限値を低下させることを特徴とする。
【００１９】
これによれば、電動式構成機器のうち比較的騒音レベルの高い冷凍サイクル（１０）の圧縮機（１１）の冷媒吐出能力の上限値を低下させるので、外部電源から供給される電力によって車室内の空調を行う際の騒音の発生をより一層、効果的に抑制することができる。
【００２０】
請求項４記載の発明では、請求項１ないし３のいずれか１つに記載の車両用空調装置において、外部電源から供給される電力によって車室内の空調を実行する際に、車両に搭載されたバッテリ（８１）の蓄電残量が予め定めた基準停止蓄電残量以下に低下したときに、電動式構成機器の使用可能な消費電力の上限値を低下させることを特徴とする。
これによれば、バッテリ蓄電残量が予め定めた基準停止蓄電残量以下に低下したとき、電動式構成機器の使用可能な消費電力の上限値を低下させることにより、バッテリ（８１）の過放電を防止できる。
請求項５に記載の発明では、請求項１ないし４のいずれか１つに記載の車両用空調装置において、電動式構成機器として、さらに、車室内へ向かって空気を送風する送風機（３２）を備えており、
外部電源から供給される電力によって車室内の空調を実行する際に、車両に搭載されたバッテリ（８１）の蓄電残量が予め定めた基準停止蓄電残量以下に低下したときに、圧縮機（１１）および送風機（３２）を停止することを特徴とする。
これによれば、バッテリ蓄電残量が予め定めた基準停止蓄電残量以下に低下すると、電動式構成機器としての圧縮機（１１）および送風機（３２）を停止するから、これら電動式構成機器における電力消費を防止して、バッテリ（８１）の過放電を防止できる。また、次回の車両走行時にバッテリ（８１）を電源とする電動モータ運転モード（ＥＶ運転モード）にて、所定の走行距離を確実に走行することができる。
また、請求項６に記載の発明では、請求項１ないし５のいずれか１つに記載の車両用空調装置において、外部電源から供給される電力によって車室内の空調を実行する際には、電動式構成機器（１１、１６ａ、３２、４０ａ）の使用可能な消費電力の上限値を、時間経過に伴って徐々に低下させることを特徴とする。
【００２１】
これによれば、外部電源から供給される電力によって車室内の空調を実行する際に、電動式構成機器（１１、１６ａ、３２、４０ａ）が消費する消費電力の上限値を、時間経過に伴って徐々に低下させるので、温度調整手段（１０、４０）に最大能力を発揮させる運転状態が継続されたとしても電動式構成機器（１１、１６ａ、３２、４０ａ）の能力は、時間経過に伴って徐々に低下していく。従って、時間経過に伴って電動式構成機器（１１、１６ａ、３２、４０ａ）によって生じる騒音を低減させることができる。
【００２２】
また、外部電源からの電力の供給時に実行されるプレ空調やマイルーム空調の初期には、電動式構成機器（１１、１６ａ、３２、４０ａ）に高い能力を発揮させて、即効性の高い適切な空調が実現できる。さらに、初期の短期間であれば、電動式構成機器（１１、１６ａ、３２、４０ａ）よって生じる騒音レベルが高くても、電動式構成機器（１１、１６ａ、３２、４０ａ）の作動音が乗員あるいは車両周囲に居る人にとって耳障りとなりにくい。
【００２３】
その結果、外部電源から供給される電力によって車室内の空調を行う際に、適切な空調を実現しつつ、騒音の発生を抑制できる。
【００２４】
さらに、請求項７に記載された発明のように、請求項６に記載の車両用空調装置において、外部電源から供給される電力によって車室内の空調を実行する際には、圧縮機（１１）の冷媒吐出能力の上限値を、時間経過に伴って徐々に低下させるようにしてもよい。
【００２５】
これによれば、電動式構成機器のうち比較的騒音レベルの高い冷凍サイクル（１０）の圧縮機（１１）の冷媒吐出能力の上限値を、時間経過に伴って徐々に低下させるので、外部電源から供給される電力によって車室内の空調を行う際の騒音の発生をより一層、効果的に抑制することができる。
請求項８に記載された発明のように、請求項１ないし７のいずれか１つに記載の車両用空調装置において、温度調整手段として、さらに、車室内へ送風される送風空気を加熱する加熱用熱交換器（３６）に熱源媒体を流通させる熱源媒体回路（４０）を備えるようにしてもよい。
【００２６】
なお、この欄および特許請求の範囲で記載した各手段の括弧内の符号は、後述する実施形態に記載の具体的手段との対応関係を示す一例である。
【図面の簡単な説明】
【００２７】
【図１】第１実施形態の車両用空調装置の冷房モード時の冷媒回路を示す全体構成図である。
【図２】第１実施形態の車両用空調装置の暖房モード時の冷媒回路を示す全体構成図である。
【図３】第１実施形態の車両用空調装置の第１除湿モード時の冷媒回路を示す全体構成図である。
【図４】第１実施形態の車両用空調装置の第２除湿モード時の冷媒回路を示す全体構成図である。
【図５】第１実施形態の車両用空調装置の電気制御部を示すブロック図である。
【図６】第１実施形態のＰＴＣヒータの回路図である。
【図７】第１実施形態の車両用空調装置の制御処理を示すフローチャートである。
【図８】第１実施形態の車両用空調装置の制御処理の要部を示すフローチャートである。
【図９】第１実施形態の車両用空調装置の制御処理の別の要部を示すフローチャートである。
【図１０】第１実施形態の車両用空調装置の制御処理の別の要部を示すフローチャートである。
【図１１】第１実施形態の車両用空調装置の制御処理の別の要部を示すフローチャートである。
【図１２】第１実施形態の車両用空調装置の制御処理の別の要部を示すフローチャートである。
【図１３】第１実施形態の車両用空調装置の制御処理の別の要部を示すフローチャートである。
【図１４】第１実施形態の各運転モードにおける各電磁弁の作動状態を示す図表である。
【図１５】第１実施形態の車両用空調装置の制御処理の別の要部を示すフローチャートである。
【図１６】第２実施形態の車両用空調装置の制御処理の要部を示すフローチャートである。
【図１７】第２実施形態の車両用空調装置の制御処理の別の要部を示すフローチャートである。
【図１８】第２実施形態の車両用空調装置の制御処理の別の要部を示すフローチャートである。
【図１９】第３実施形態の車両用空調装置の制御処理の要部を示すフローチャートである。
【図２０】第４実施形態の車両用空調装置の制御処理の要部を示すフローチャートである。
【図２１】第５実施形態の車両用空調装置の制御処理の要部を示すフローチャートである。
【図２２】第６実施形態の車両用空調装置の全体構成図である。
【発明を実施するための形態】
【００２８】
（第１実施形態）
以下、図面を用いて、本発明の第１実施形態を説明する。まず、図１〜４は、本実施形態の車両用空調装置１の全体構成図であり、図５は、車両用空調装置１の電気制御部を示すブロック図である。本実施形態では、この車両用空調装置１を、内燃機関（エンジン）ＥＧおよび走行用電動モータから車両走行用の駆動力を得るハイブリッド車両に適用している。
【００２９】
また、本実施形態のハイブリッド車両は、車両停止時に外部電源（商用電源）から供給された電力をバッテリ８１に充電することのできる、いわゆるプラグインハイブリッド車両として構成されている。このプラグインハイブリッド車両は、車両走行開始前の車両停止時に外部電源からバッテリ８１に充電しておくことによって、走行開始時のようにバッテリ８１の蓄電残量が予め定めた走行用基準残量以上になっているときには、主に走行用電動モータの駆動力によって走行する（以下、この運転モードをＥＶ運転モードという）。
【００３０】
一方、車両走行中にバッテリ８１の蓄電残量が走行用基準残量よりも低くなっているときには、主にエンジンＥＧの駆動力によって走行する（以下、この運転モードをＨＶ運転モードという）。このように、ＥＶ運転モードとＨＶ運転モードとを切り替えることによって、車両走行用の駆動力をエンジンＥＧのみから得る通常の車両に対してエンジンＥＧの燃料消費量を抑制して、車両燃費を向上させている。
【００３１】
なお、ＥＶ運転モードは、主に走行用電動モータが出力する駆動力によって車両を走行させる運転モードであるが、車両走行負荷が高負荷となった際にはエンジンＥＧを作動させて走行用電動モータを補助する。同様に、ＨＶ運転モードは、主にエンジンＥＧが出力する駆動力によって車両を走行させる運転モードであるが、車両走行負荷が高負荷となった際には走行用電動モータを作動させてエンジンＥＧを補助する。このようなエンジンＥＧおよび走行用電動モータの作動は、図示しないエンジン制御装置によって制御される。
【００３２】
また、エンジンＥＧから出力される駆動力は、車両走行用として用いられるのみならず、発電機８０を作動させるためにも用いられる。そして、発電機８０にて発電された電力および外部電源から供給された電力は、バッテリ８１に蓄えることができ、バッテリ８１に蓄えられた電力は、走行用電動モータのみならず、車両用空調装置１を構成する電動式構成機器をはじめとする各種車載機器に供給できる。
【００３３】
次に、本実施形態の車両用空調装置１の詳細構成を説明する。この車両用空調装置１は、車両走行時に車室内の空調を行う通常空調の他に、乗員が車両に乗り込む前に車室内の空調を行うプレ空調、および、外部電源からバッテリ８１への充電中に乗員が車室内で過ごす際の空調であるマイルーム空調を行うことができる。
【００３４】
車両用空調装置１は、通常空調、プレ空調およびマイルーム空調において、車室内を冷房する冷房モード（ＣＯＯＬサイクル）、車室内を暖房する暖房モード（ＨＯＴサイクル）、車室内を除湿する第１除湿モード（ＤＲＹ＿ＥＶＡサイクル）および第２除湿モード（ＤＲＹ＿ＡＬＬサイクル）の冷媒回路を切替可能に構成された蒸気圧縮式の冷凍サイクル１０を備えている。
【００３５】
図１〜４では、それぞれ、冷房モード、暖房モード、第１、第２除湿モード時の冷媒の流れを実線矢印で示している。なお、第１除湿モードは、暖房能力に対して除湿能力を優先する除湿モードであり、第２除湿モードは、除湿能力に対して暖房能力を優先する除湿モードである。従って、第１除湿モードを低温除湿モードあるいは単なる除湿モード、第２除湿モードを高温除湿モードあるいは除湿暖房モードと表現することもできる。
【００３６】
冷凍サイクル１０は、圧縮機１１、室内熱交換器としての室内凝縮器１２および室内蒸発器２６、冷媒を減圧膨張させる減圧手段としての温度式膨張弁２７および固定絞り１４、並びに、冷媒回路切替手段としての複数（本実施形態では５つ）の電磁弁１３、１７、２０、２１、２４等を備え、車室内へ送風される送風空気の温度を調整する温度調整手段としての機能を果たす。
【００３７】
また、この冷凍サイクル１０では、冷媒としてフロン系冷媒を採用しており、高圧側冷媒圧力が冷媒の臨界圧力を超えない亜臨界冷凍サイクルを構成している。さらに、この冷媒には圧縮機１１を潤滑するための冷凍機油が混入されており、この冷凍機油の一部は冷媒とともにサイクルを循環している。
【００３８】
圧縮機１１は、エンジンルーム内に配置され、冷凍サイクル１０において冷媒を吸入し、圧縮して吐出するもので、吐出容量が固定された固定容量型圧縮機構１１ａを電動モータ１１ｂにて駆動する電動圧縮機として構成されている。従って、本実施形態の圧縮機１１は、特許請求の範囲に記載された電動式構成機器である。
【００３９】
固定容量型圧縮機構１１ａとしては、具体的に、スクロール型圧縮機構、ベーン型圧縮機構等の各種圧縮機構を採用できる。電動モータ１１ｂは、インバータ６１から出力される交流電圧によって、その作動（回転数）が制御される交流モータである。また、インバータ６１は、後述する空調制御装置５０から出力される制御信号に応じた周波数の交流電圧を出力する。そして、この回転数制御によって、圧縮機１１の冷媒吐出能力が変更される。従って、電動モータ１１ｂは、圧縮機１１の吐出能力変更手段を構成している。
【００４０】
圧縮機１１の吐出側には、室内凝縮器１２の冷媒入口側が接続されている。室内凝縮器１２は、車両用空調装置の室内空調ユニット３０において車室内へ送風される送風空気の空気通路を形成するケーシング３１内に配置されて、その内部を流通する冷媒と後述する室内蒸発器２６通過後の送風空気とを熱交換させることで送風空気を加熱する加熱用熱交換器である。なお、室内空調ユニット３０の詳細については後述する。
【００４１】
室内凝縮器１２の冷媒出口側には、電気式三方弁１３が接続されている。この電気式三方弁１３は、空調制御装置５０から出力される制御電圧によって、その作動が制御される冷媒回路切替手段である。
【００４２】
より具体的には、電気式三方弁１３は、電力が供給される通電状態では、室内凝縮器１２の冷媒出口側と固定絞り１４の冷媒入口側との間を接続する冷媒回路に切り替え、電力の供給が停止される非通電状態では、室内凝縮器１２の冷媒出口側と第１三方継手１５の１つの冷媒流入出口との間を接続する冷媒回路に切り替える。
【００４３】
固定絞り１４は、暖房モード、第１および第２除湿モード時に、電気式三方弁１３から流出した冷媒を減圧膨張させる暖房除湿用の減圧手段である。この固定絞り１４としては、キャピラリチューブ、オリフィス等を採用できる。もちろん、暖房除湿用の減圧手段として、空調制御装置５０から出力される制御信号によって絞り通路面積が調整される電気式の可変絞り機構を採用してもよい。固定絞り１４の冷媒出口側には、後述する第３三方継手２３の冷媒流入出口が接続されている。
【００４４】
第１三方継手１５は、３つの冷媒流入出口を有し、冷媒流路を分岐する分岐部として機能するものである。このような三方継手は、冷媒配管を接合して構成してもよいし、金属ブロックや樹脂ブロックに複数の冷媒通路を設けて構成してもよい。また、第１三方継手１５の別の冷媒流入出口には、室外熱交換器１６の一方の冷媒流入出口が接続され、さらに別の冷媒流入出口には、低圧電磁弁１７の冷媒入口側が接続されている。
【００４５】
低圧電磁弁１７は、冷媒流路を開閉する弁体部と、弁体部を駆動するソレノイド（コイル）を有し、空調制御装置５０から出力される制御電圧によって、その作動が制御される冷媒回路切替手段である。より具体的には、低圧電磁弁１７は、通電状態で開弁して非通電状態で閉弁する、いわゆるノーマルクローズ型の開閉弁として構成されている。
【００４６】
低圧電磁弁１７の冷媒出口側には、第１逆止弁１８を介して、後述する第５三方継手２８の１つの冷媒流入出口が接続されている。この第１逆止弁１８は、低圧電磁弁１７側から第５三方継手２８側へ冷媒が流れることのみを許容している。
【００４７】
室外熱交換器１６は、エンジンルーム内に配置されて、内部を流通する冷媒と送風ファン１６ａから送風された車室外空気（外気）とを熱交換させるものである。送風ファン１６ａは、空調制御装置５０から出力される制御電圧によって回転数（送風能力）が制御される電動式送風機である。従って、本実施形態の送風ファン１６ａは、特許請求の範囲に記載された電動式構成機器である。
【００４８】
さらに、本実施形態の送風ファン１６ａは、室外熱交換器１６のみならず、エンジンＥＧの冷却水を放熱させるラジエータ（図示せず）にも室外空気を送風している。具体的には、送風ファン１６ａから送風された車室外空気は、室外熱交換器１６→ラジエータの順に流れる。ラジエータは、図１〜４の破線で示す冷却水回路４０を構成する冷却水配管に接続されている。この冷却水回路４０については後述する。
【００４９】
室外熱交換器１６の他方の冷媒流入出口には、第２三方継手１９の１つの冷媒流入出口が接続されている。この第２三方継手１９の基本的構成は、第１三方継手１５と同様である。また、第２三方継手１９の別の冷媒流入出口には、高圧電磁弁２０の冷媒入口側が接続され、さらに別の冷媒流入出口には、熱交換器遮断電磁弁２１の一方の冷媒流入出口が接続されている。
【００５０】
高圧電磁弁２０および熱交換器遮断電磁弁２１は、空調制御装置５０から出力される制御電圧によって、その作動が制御される冷媒回路切替手段であり、その基本的構成は、低圧電磁弁１７と同様である。但し、高圧電磁弁２０および熱交換器遮断電磁弁２１は、通電状態で閉弁して非通電状態で開弁する、いわゆるノーマルオープン型の開閉弁として構成されている。
【００５１】
高圧電磁弁２０の冷媒出口側には、第２逆止弁２２を介して、後述する温度式膨張弁２７の絞り機構部入口側が接続されている。この第２逆止弁２２は、高圧電磁弁２０側から温度式膨張弁２７側へ冷媒が流れることのみを許容している。
【００５２】
熱交換器遮断電磁弁２１の他方の冷媒流入出口には、第３三方継手２３の１つの冷媒流入出口が接続されている。この第３三方継手２３の基本的構成は、第１三方継手１５と同様である。また、第３三方継手２３の別の冷媒流入出口には、前述の如く、固定絞り１４の冷媒出口側が接続され、さらに別の冷媒流入出口には、除湿電磁弁２４の冷媒入口側が接続されている。
【００５３】
除湿電磁弁２４は、空調制御装置５０から出力される制御電圧によって、その作動が制御される冷媒回路切替手段であり、その基本的構成は、低圧電磁弁１７と同様である。さらに、除湿電磁弁２４もノーマルクローズ型の開閉弁として構成されている。そして、本実施形態の冷媒回路切替手段は、電力の供給が停止されると予め定めた開弁状態あるいは閉弁状態となる電気式三方弁１３、低圧電磁弁１７、高圧電磁弁２０、熱交換器遮断電磁弁２１、除湿電磁弁２４の複数（５つ）の電磁弁によって構成される。
【００５４】
除湿電磁弁２４の冷媒出口側には、第４三方継手２５の１つの冷媒流入出口が接続されている。この第４三方継手２５の基本的構成は、第１三方継手１５と同様である。また、第４三方継手２５の別の冷媒流入出口には、温度式膨張弁２７の絞り機構部出口側が接続され、さらに別の冷媒流入出口には、室内蒸発器２６の冷媒入口側が接続されている。
【００５５】
室内蒸発器２６は、室内空調ユニット３０のケーシング３１内のうち、室内凝縮器１２の送風空気流れ上流側に配置されて、その内部を流通する冷媒と送風空気とを熱交換させて送風空気を冷却する冷却用熱交換器である。
【００５６】
室内蒸発器２６の冷媒出口側には、温度式膨張弁２７の感温部入口側が接続されている。温度式膨張弁２７は、絞り機構部入口から内部へ流入した冷媒を減圧膨張させて絞り機構部出口から外部へ流出させる冷房用の減圧手段である。
【００５７】
より具体的には、本実施形態では、温度式膨張弁２７として、室内蒸発器２６出口側冷媒の温度および圧力に基づいて室内蒸発器２６出口側冷媒の過熱度を検出する感温部２７ａと、感温部２７ａの変位に応じて室内蒸発器２６出口側冷媒の過熱度が予め定めた所定範囲となるように絞り通路面積（冷媒流量）を調整する可変絞り機構部２７ｂとを１つのハウジング内に収容した内部均圧型膨張弁を採用している。
【００５８】
温度式膨張弁２７の感温部出口側には、第５三方継手２８の１つの冷媒流入出口が接続されている。この第５三方継手２８の基本的構成は、第１三方継手１５と同様である。また、第５三方継手２８の別の冷媒流入出口には、前述の如く、第１逆止弁１８の冷媒出口側が接続され、さらに別の冷媒流入出口には、アキュムレータ２９の冷媒入口側が接続されている。
【００５９】
アキュムレータ２９は、第５三方継手２８から、その内部に流入した冷媒の気液を分離して、余剰冷媒を蓄える低圧側気液分離器である。さらに、アキュムレータ２９の気相冷媒出口には、圧縮機１１の冷媒吸入口が接続されている。
【００６０】
次に、室内空調ユニット３０について説明する。室内空調ユニット３０は、車室内最前部の計器盤（インストルメントパネル）の内側に配置されて、その外殻を形成するケーシング３１内に送風機３２、前述の室内蒸発器２６、室内凝縮器１２、ヒータコア３６、ＰＴＣヒータ３７等を収容したものである。
【００６１】
ケーシング３１は、車室内に送風される送風空気の空気通路を形成しており、ある程度の弾性を有し、強度的にも優れた樹脂（例えば、ポリプロピレン）にて成形されている。ケーシング３１内の送風空気流れ最上流側には、内気（車室内空気）と外気（車室外空気）とを切替導入する図示しない内外気切替箱が配置されている。
【００６２】
より具体的には、内外気切替箱には、ケーシング３１内に内気を導入させる内気導入口および外気を導入させる外気導入口が形成されている。さらに、内外気切替箱の内部には、内気導入口および外気導入口の開口面積を連続的に調整して、内気の風量と外気の風量との風量割合を変化させる内外気切替ドアが配置されている。
【００６３】
従って、内外気切替ドアは、ケーシング３１内に導入される内気の風量と外気の風量との風量割合を変化させる吸込口モードを切り替える風量割合変更手段を構成する。より具体的には、内外気切替ドアは、内外気切替ドア用の電動アクチュエータ６２によって駆動され、この電動アクチュエータ６２は、空調制御装置５０から出力される制御信号によって、その作動が制御される。
【００６４】
また、吸込口モードとしては、内気導入口を全開とするとともに外気導入口を全閉としてケーシング３１内へ内気を導入する内気モード、内気導入口を全閉とするとともに外気導入口を全開としてケーシング３１内へ外気を導入する外気モード、さらに、内気モードと外気モードとの間で、内気導入口および外気導入口の開口面積を連続的に調整することにより、内気と外気の導入比率を連続的に変化させる内外気混入モードがある。
【００６５】
内外気切替箱の空気流れ下流側には、内外気切替箱を介して吸入した空気を車室内へ向けて送風する送風機３２が配置されている。この送風機３２は、遠心多翼ファン（シロッコファン）を電動モータにて駆動する電動送風機であって、空調制御装置５０から出力される制御電圧によって回転数（送風能力）が制御される。従って、本実施形態の送風機３２は、特許請求の範囲に記載された電動式構成機器である。
【００６６】
送風機３２の空気流れ下流側には、前述の室内蒸発器２６が配置されている。さらに、室内蒸発器２６の空気流れ下流側には、室内蒸発器２６通過後の空気を流す加熱用冷風通路３３、冷風バイパス通路３４といった空気通路、並びに、加熱用冷風通路３３および冷風バイパス通路３４から流出した空気を混合させる混合空間３５が形成されている。
【００６７】
加熱用冷風通路３３には、室内蒸発器２６通過後の空気を加熱するための加熱手段としてのヒータコア３６、室内凝縮器１２、およびＰＴＣヒータ３７が、送風空気流れ方向に向かってこの順で配置されている。ヒータコア３６は、冷却水回路４０を構成する冷却水配管に接続されており、エンジンＥＧの冷却水と室内蒸発器２６通過後の空気とを熱交換させて、室内蒸発器２６通過後の空気を加熱する加熱用熱交換器である。
【００６８】
ここで、冷却水回路４０について説明する。冷却水回路４０は、エンジンＥＧを冷却する冷却水を循環させる回路である。さらに、冷却水回路４０の冷却水配管には、冷却水を圧送する電動式の冷却水ポンプ４０ａが配置されている。この冷却水ポンプ４０ａは、空調制御装置５０から出力される制御電圧によって回転数（水圧送能力）が制御される。
【００６９】
そして、空調制御装置５０が冷却水ポンプ４０ａを作動させることによって、エンジンＥＧの廃熱によって加熱された冷却水が、ラジエータあるいはヒータコア３６へ流入することによって冷却され、ラジエータあるいはヒータコア３６にて冷却された冷却水が、再びエンジンＥＧへ戻るように構成されている。
【００７０】
つまり、冷却水は、ヒータコア３６にて車室内へ送風される送風空気を加熱する熱源媒体であり、冷却水回路４０のうち、図１〜４の破線で示す冷却水ポンプ４０ａ→ヒータコア３６→エンジンＥＧ→冷却水ポンプ４０ａの順に冷却水を循環させる回路は、送風空気の温度を調整する温度調整手段を構成している。従って、本実施形態の冷却水ポンプ４０ａは、特許請求の範囲に記載された電動式構成機器である。
【００７１】
また、ＰＴＣヒータ３７は、ＰＴＣ素子（正特性サーミスタ）を有し、このＰＴＣ素子に電力を供給されることによって発熱して、室内凝縮器１２通過後の空気を加熱する電気ヒータである。なお、本実施形態のＰＴＣヒータ３７は、複数本（具体的には３本）設けられており、空調制御装置５０が、通電するＰＴＣヒータ３７の本数を変化させることによって、複数のＰＴＣヒータ３７全体としての加熱能力が制御される。
【００７２】
より具体的には、このＰＴＣヒータ３７は、図６に示すように、複数（本実施形態では、３本）のＰＴＣヒータ３７ａ、３７ｂ、３７ｃから構成されている。なお、図６は、本実施形態のＰＴＣヒータ３７の電気的接続態様を示す回路図である。また、本実施形態のＰＴＣヒータ３７を作動させるために必要な消費電力は、冷凍サイクル１０の圧縮機１１を作動させるために必要な消費電力よりも少ない。
【００７３】
図６に示すように、各ＰＴＣヒータ３７ａ、３７ｂ、３７ｃの正極側はバッテリ８１側に接続され、負極側は各ＰＴＣヒータ３７ａ、３７ｂ、３７ｃが有する各スイッチ素子ＳＷ１、ＳＷ２、ＳＷ３を介して、グランド側へ接続されている。各スイッチ素子ＳＷ１、ＳＷ２、ＳＷ３は、各ＰＴＣヒータ３７ａ、３７ｂ、３７ｃが有する各ＰＴＣ素子ｈ１、ｈ２、ｈ３の通電状態と非通電状態とを切り替えるものである。
【００７４】
さらに、各スイッチ素子ＳＷ１、ＳＷ２、ＳＷ３の作動は、空調制御装置５０から出力される制御信号によって、独立して制御される。従って、空調制御装置５０は、各スイッチ素子ＳＷ１、ＳＷ２、ＳＷ３の通電状態と非通電状態とを独立に切り替えることによって、各ＰＴＣヒータ３７ａ、１５ｂ、１５ｃのうち、通電状態となり加熱能力を発揮するものを切り替えて、ＰＴＣヒータ３７全体としての加熱能力を変化させることができる。
【００７５】
一方、冷風バイパス通路３４は、室内蒸発器２６通過後の空気を、ヒータコア３６、室内凝縮器１２、およびＰＴＣヒータ３７を通過させることなく、混合空間３５に導くための空気通路である。従って、混合空間３５にて混合された送風空気の温度は、加熱用冷風通路３３を通過する空気および冷風バイパス通路３４を通過する空気の風量割合によって変化する。
【００７６】
そこで、本実施形態では、室内蒸発器２６の空気流れ下流側であって、加熱用冷風通路３３および冷風バイパス通路３４の入口側に、加熱用冷風通路３３および冷風バイパス通路３４へ流入させる冷風の風量割合を連続的に変化させるエアミックスドア３８を配置している。
【００７７】
従って、エアミックスドア３８は、混合空間３５内の空気温度（車室内へ送風される送風空気の温度）を調整する温度調整手段を構成する。より具体的には、エアミックスドア３８は、エアミックスドア用の電動アクチュエータ６３によって駆動され、この電動アクチュエータ６３は、空調制御装置５０から出力される制御信号によって、その作動が制御される。
【００７８】
さらに、ケーシング３１の送風空気流れ最下流部には、混合空間３５から冷却対象空間である車室内へ温度調整された送風空気を吹き出す吹出口（図示せず）が配置されている。この吹出口としては、具体的に、車室内の乗員の上半身に向けて空調風を吹き出すフェイス吹出口、乗員の足元に向けて空調風を吹き出すフット吹出口、および、車両前面窓ガラス内側面に向けて空調風を吹き出すデフロスタ吹出口が設けられている。
【００７９】
また、フェイス吹出口、フット吹出口、およびデフロスタ吹出口の空気流れ上流側には、それぞれ、フェイス吹出口の開口面積を調整するフェイスドア、フット吹出口の開口面積を調整するフットドア、デフロスタ吹出口の開口面積を調整するデフロスタドア（いずれも図示せず）が配置されている。
【００８０】
これらのフェイスドア、フットドア、デフロスタドアは、吹出口モードを切替える吹出口モード切替手段を構成するものであって、図示しないリンク機構を介して、吹出口モードドア駆動用の電動アクチュエータ６４に連結されて連動して回転操作される。なお、この電動アクチュエータ６４も、空調制御装置５０から出力される制御信号によってその作動が制御される。
【００８１】
また、吹出口モードとしては、フェイス吹出口を全開してフェイス吹出口から車室内乗員の上半身に向けて空気を吹き出すフェイスモード、フェイス吹出口とフット吹出口の両方を開口して車室内乗員の上半身と足元に向けて空気を吹き出すバイレベルモード、フット吹出口を全開するとともにデフロスタ吹出口を小開度だけ開口して、フット吹出口から主に空気を吹き出すフットモード、およびフット吹出口およびデフロスタ吹出口を同程度開口して、フット吹出口およびデフロスタ吹出口の双方から空気を吹き出すフットデフロスタモードがある。
【００８２】
さらに、乗員が後述する操作パネル６０のスイッチをマニュアル操作することによって、デフロスタ吹出口を全開してデフロスタ吹出口から車両フロント窓ガラス内面に空気を吹き出すデフロスタモードとすることもできる。
【００８３】
なお、本実施形態の車両用空調装置１が適用されるハイブリッド車両は、車両用空調装置とは別に、図示しない電熱デフォッガを備えている。電熱デフォッガとは、車室内窓ガラスの内部あるいは表面に配置された電熱線であって、窓ガラスを加熱することで防曇あるいは窓曇り解消を行うものである。この電熱デフォッガについても空調制御装置５０から出力される制御信号によって、その作動を制御できるようになっている。
【００８４】
次に、図５により、本実施形態の電気制御部について説明する。空調制御装置５０は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された圧縮機１１の電動モータ１１ｂ用のインバータ６１、冷媒回路切替手段を構成する各電磁弁１３、１７、２０、２１、２４、送風ファン１６ａ、送風機３２、ＰＴＣヒータ３７、各種電動アクチュエータ６２、６３、６４等の作動を制御する。
【００８５】
また、空調制御装置５０の入力側には、車室内温度Ｔｒを検出する内気センサ５１、外気温Ｔａｍを検出する外気センサ５２（外気温検出手段）、車室内の日射量Ｔｓを検出する日射センサ５３、圧縮機１１の吐出冷媒温度Ｔｄを検出する吐出温度センサ５４（吐出温度検出手段）、圧縮機１１の吐出側冷媒圧力（高圧側冷媒圧力）Ｐｄを検出する吐出圧力センサ５５（吐出圧力検出手段）、室内蒸発器２６からの吹出空気温度（蒸発器温度）Ｔｅを検出する蒸発器温度センサ５６（蒸発器温度検出手段）、第１三方継手１５と低圧電磁弁１７との間を流通する冷媒の温度Ｔｓｉを検出する吸入温度センサ５７、エンジン冷却水温度Ｔｗを検出する冷却水温度センサ、車室内の窓ガラス近傍の車室内空気の相対湿度を検出する湿度センサ、窓ガラス近傍の車室内空気の温度を検出する窓ガラス近傍温度センサ、および窓ガラス表面温度を検出する窓ガラス表面温度センサ等の空調制御用のセンサ群の検出信号が入力される。
【００８６】
なお、本実施形態の圧縮機１１の吐出側冷媒圧力（高圧側冷媒圧力）Ｐｄは、冷房モードでは、圧縮機１１の冷媒吐出口側から温度式膨張弁２７の可変絞り機構部２７ｂ入口側へ至るサイクルの高圧側冷媒圧力であり、その他の運転モードでは、圧縮機１１の冷媒吐出口側から固定絞り１４入口側へ至るサイクルの高圧側冷媒圧力となる。なお、吐出圧力センサ５５は、一般的な冷凍サイクルにおいても、高圧側冷媒圧力の異常上昇を監視するために設けられている。
【００８７】
また、蒸発器温度センサ５６は、具体的に室内蒸発器２６の熱交換フィン温度を検出している。もちろん、蒸発器温度センサ５６として、室内蒸発器２６のその他の部位の温度を検出する温度検出手段を採用してもよいし、室内蒸発器２６を流通する冷媒自体の温度を直接検出する温度検出手段を採用してもよい。また、湿度センサ、窓ガラス近傍温度センサ、および窓ガラス表面温度センサの検出値は、窓ガラス表面の相対湿度ＲＨＷを算出するために用いられる。
【００８８】
さらに、空調制御装置５０の入力側には、車室内前部の計器盤付近に配置された操作パネル６０に設けられた各種空調操作スイッチからの操作信号が入力される。操作パネル６０に設けられた各種空調操作スイッチとしては、具体的に、車両用空調装置１の作動スイッチ、オートスイッチ、運転モードの切替スイッチ、吹出口モードの切替スイッチ、送風機３２の風量設定スイッチ、車室内温度設定スイッチ、エコノミースイッチ等が設けられている。
【００８９】
オートスイッチは、車両用空調装置１の自動制御を設定あるいは解除するスイッチである。また、エコノミースイッチは、冷凍サイクル１０の省動力化を優先させるスイッチである。さらに、エコノミースイッチを投入することにより、ＥＶ運転モード時に、走行用電動モータを補助するために作動させるエンジンＥＧの作動頻度を低下させる信号がエンジン制御装置に出力される。
【００９０】
さらに、操作パネル６０には、現在の車両用空調装置１の運転状態を表示する表示部が設けられている。この表示部には、車両用空調装置１の自動制御が実行させていること、吹出口モード、送風機３２の風量等が表示される。さらに、本実施形態の操作パネル６０には、マイルーム空調時に蓄電残量が予め定めた基準マイルーム用蓄電残量以下になった際に、これを表示する機能も備えている。
【００９１】
さらに、操作パネル６０の内部には、マイルーム空調時に蓄電残量が基準マイルーム用蓄電残量以下になった際に、警告音を発するブザーが内蔵されている。従って、本実施形態の操作パネル６０は、マイルーム空調時に蓄電残量が基準マイルーム用蓄電残量以下になった際に、これをユーザに報知する報知手段としての機能も兼ね備えている。
【００９２】
また、図示しないエンジン制御装置は、空調制御装置５０と同様に、周知のマイクロコンピュータとその周辺回路から構成され、そのＲＯＭ内に記憶されたエンジン制御用プログラムに基づいて各種演算、処理を行い、出力側に接続された各種エンジン制御機器の作動を制御する。
【００９３】
エンジン制御装置の出力側には、エンジンＥＧを構成する各種エンジン構成機器等が接続されている。具体的には、エンジンＥＧを始動させるスタータ、エンジンＥＧに燃料を供給する燃料噴射弁（インジェクタ）の駆動回路（いずれも図示せず）等が接続されている。
【００９４】
エンジン制御装置７０の入力側には、バッテリ８１の端子間電圧ＶＢを検出する電圧計、アクセル開度Ａｃｃを検出するアクセル開度センサ、エンジン回転数Ｎｅを検出するエンジン回転数センサ、車速Ｖｖを検出する車速センサ（いずれも図示せず）等の種々のエンジン制御用のセンサ群が接続されている。
【００９５】
さらに、空調制御装置５０およびエンジン制御装置は、電気的に接続されて通信可能に構成されている。これにより、一方の制御装置に入力された検出信号あるいは操作信号に基づいて、他方の制御装置が出力側に接続された各種機器の作動を制御することもできる。例えば、空調制御装置５０がエンジン制御装置へエンジンＥＧの作動要求指令を出力することによって、エンジンＥＧを作動させることができる。
【００９６】
なお、空調制御装置５０およびエンジン制御装置は、その出力側に接続された各種制御対象機器を制御する制御手段が一体に構成されたものであるが、それぞれの制御対象機器の作動を制御する構成（ハードウェアおよびソフトウェア）が、それぞれの制御対象機器の作動を制御する制御手段を構成している。
【００９７】
例えば、空調制御装置５０のうち、圧縮機１１の電動モータ１１ｂに接続されたインバータ６１から出力される交流電圧の周波数を制御して、圧縮機１１の冷媒吐出能力を制御する構成が圧縮機制御手段を構成し、送風手段である送風機３２の作動を制御して、送風機３２の送風能力を制御する構成が送風機制御手段を構成する。
【００９８】
次に、図７により、上記構成における本実施形態の作動を説明する。図７は、本実施形態の車両用空調装置１の制御処理を示すフローチャートである。この制御処理は、車両システムが停止している場合でも、バッテリから空調制御装置５０に電力が供給されていれば実行される。
【００９９】
まず、ステップＳ１では、車両用空調装置１の作動スイッチが投入（ＯＮ）されているか否か、および、プレ空調のスタートスイッチが投入されているか否かを判定する。さらに、車両用空調装置１の作動スイッチが投入（ＯＮ）されていると判定された際には、マイルーム空調としての作動であるか否かが判定される。そして、車両用空調装置１の作動スイッチ、あるいはプレ空調のスタートスイッチが投入されていると判定されるとステップＳ２へ進む。
【０１００】
ステップＳ１におけるマイルーム空調としての作動であるか否かの判定については、図８のフローチャートを用いて説明する。まず、図８のステップＳ１０１に示すように、車両用空調装置１の作動スイッチが投入される前提として、１回目の車両の起動スイッチ（ＰＯＷＥＲスイッチ）が投入（ＯＮ）されているか否かを判定する。
【０１０１】
ステップＳ１０１にて、１回目の車両の起動スイッチが投入されていると判定された場合は、ステップＳ１０２へ進み、車両の作動状態がアクセサリモードであると判定する。アクセサリモードは、車載オーディオ機器類が使用可能となる車両の作動状態である。一方、ステップＳ１０１にて、１回目の車両の起動スイッチが投入されていないと判定された場合は、ステップＳ１０３へ進み、車両用空調装置１および車載オーディオ機器類の作動が許可されていないものとされる。
【０１０２】
ステップＳ１０４では、２回目の車両の起動スイッチ（ＰＯＷＥＲスイッチ）が投入（ＯＮ）されているか否かを判定する。ステップＳ１０４にて、２回目の車両の起動スイッチが投入されていると判定された場合は、ステップＳ１０５へ進む。一方、ステップＳ１０４にて、２回目の車両の起動スイッチが投入されていないと判定された場合は、ステップＳ１０６へ進み、車両用空調装置１の作動が許可されていないものとされる。
【０１０３】
ステップＳ１０５では、外部電源から車両（具体的には、バッテリ８１）へ電力が供給されているプラグイン状態であるか否かが判定される。ステップＳ１０５にて、プラグイン状態であると判定された場合は、ステップＳ１０７へ進み、車載オーディオ機器類に加えて車両用空調装置１の作動が許可されており、マイルーム空調での作動であると判定されてステップＳ２へ進む。この際、マイルーム空調であること示すフラグがＯＮとなる。
【０１０４】
一方、ステップＳ１０５にて、プラグイン状態でないと判定された場合は、ステップＳ１０８へ進み、車載オーディオ機器類に加えて車両用空調装置１の作動が許可されており、マイルーム空調ではない通常空調での作動であると判定されてステップＳ２へ進む。この際、マイルーム空調であることを示すフラグはＯＦＦとされる。なお、マイルーム空調であること示すフラグは、車両用空調装置１の作動中でも乗員からマイルーム空調の停止が要求されたとき、プラグイン状態ではなくなったとき等にもＯＦＦとなる。
【０１０５】
また、プレ空調のスタートスイッチは、乗員が携帯する無線端末（リモコン）あるいは移動体通信手段（具体的には、携帯電話）等に設けられている。従って、乗員は車両から離れた場所から車両用空調装置１を始動させることができる。
【０１０６】
例えば、無線端末のプレ空調のスタートスイッチが投入された際には、車両側が無線端末から送信されるプレ空調スタート信号を直接受信することによって、また、移動体通信手段のプレ空調のスタートスイッチが投入された際には、車両側が携帯電話基地局等を介して送信されるプレ空調スタート信号を直接受信することによって、プレ空調のスタートスイッチが投入されたことが判定される。
【０１０７】
さらに、本実施形態の車両用空調装置１は、プラグインハイブリッド車両に適用されているので、プレ空調は、車両に外部電源から電力が供給されている場合は、ユーザからプレ空調の停止が要求されるまで継続され、外部電源から電力が供給接続されていない場合は、バッテリ８１の蓄電残量が予め定めた基準プレ空調用蓄電残量以下となるまで行うようになっている。
【０１０８】
ステップＳ２では、フラグ、タイマ等の初期化、および上述した電動アクチュエータを構成するステッピングモータの初期位置合わせ等が行われる。なお、フラグの初期化には、現在のフラグの状態を維持することも含まれる。ステップＳ３では、操作パネル６０の操作信号を読み込んでステップＳ４へ進む。具体的な操作信号としては、車室内温度設定スイッチによって設定される車室内設定温度Ｔｓｅｔ、吹出口モードの選択信号、吸込口モードの選択信号、送風機３２の風量の設定信号等がある。
【０１０９】
ステップＳ４では、空調制御に用いられる車両環境状態の信号、すなわち上述のセンサ群５１〜５７の検出信号を読み込んで、ステップＳ５へ進む。ステップＳ５では、車室内吹出空気の目標吹出温度ＴＡＯを算出する。さらに、暖房モードでは、暖房用熱交換器目標温度を算出する。目標吹出温度ＴＡＯは、下記数式Ｆ１により算出される。
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ…（Ｆ１）
ここで、Ｔｓｅｔは車室内温度設定スイッチによって設定された車室内設定温度、Ｔｒは内気センサ５１によって検出された内気温、Ｔａｍは外気センサ５２によって検出された外気温、Ｔｓは日射センサ５３によって検出された日射量である。Ｋｓｅｔ、Ｋｒ、Ｋａｍ、Ｋｓは制御ゲインであり、Ｃは補正用の定数である。
【０１１０】
また、暖房用熱交換器目標温度は、基本的に上述の数式Ｆ１にて算出される値となるが、消費電力の抑制のために数式Ｆ１にて算出されＴＡＯよりも低い値とする補正が行われる場合もある。
【０１１１】
続くステップＳ６〜Ｓ１６では、空調制御装置５０に接続された各種機器の制御状態が決定される。まず、ステップＳ６では、空調環境状態に応じて、冷房モード、暖房モード、第１除湿モードおよび第２除湿モードの選択およびＰＴＣヒータ３７に対する通電有無の決定が行われる。このステップＳ６の詳細については、図９を用いて説明する。
【０１１２】
まず、ステップＳ６１では、プレ空調を行っているか否かを判定する。ステップＳ６１にてプレ空調を行っていると判定された場合は、ステップＳ６２へ進み、外気温Ｔａｍが−３℃よりも低いか否かを判定する。ステップＳ６２にて外気温Ｔａｍが−３℃よりも低いと判定された場合は、ステップＳ６３にてＰＴＣヒータ３７への通電の必要があると判定してステップＳ７へ進む。
【０１１３】
このように外気温Ｔａｍが−３℃よりも低いときにＰＴＣヒータ３７への通電が必要であると判定する理由は、外気温Ｔａｍが−３℃よりも低いときに冷凍サイクル１０にて暖房を行うと、サイクルの高低圧差が大きくなり、サイクル効率（ＣＯＰ）が低下してしまうとともに、室外熱交換器１６における冷媒蒸発温度が低くなり、室外熱交換器１６に着霜するおそれがあるからである。
【０１１４】
ステップＳ６２にて外気温Ｔａｍが−３℃よりも低くなっていないと判定された場合は、ステップＳ６４へ進み、吹出口モードがフェイスモードであるか否かを判定する。ステップＳ６４にて吹出口モードがフェイスモードであると判定された場合は、ステップＳ６５へ進み、冷房モードを選択してステップＳ７へ進む。その理由は、後述するステップＳ９で説明するように、フェイスモードは主に夏季に選択される運転モードだからである。
【０１１５】
ステップＳ６４にて吹出口モードがフェイスモードでないと判定された場合は、ステップＳ６６へ進み、室内蒸発器２６からの吹出空気温度Ｔｅの低下に伴って、除湿の必要性が高くなるものとして、暖房モード→第１除湿モード→第２除湿モードの順に選択されて、ステップＳ７へ進む。
【０１１６】
一方、ステップＳ６１にてプレ空調を行っていないと判定された場合は、ステップＳ６７へ進み、外気温Ｔａｍが−３℃よりも低いか否かを判定する。ステップＳ６７にて外気温Ｔａｍが−３℃よりも低いと判定された場合は、ステップＳ６８へ進み、冷房モードを選択してステップＳ７へ進む。
【０１１７】
ステップＳ６７にて外気温Ｔａｍが−３℃よりも低くなっていないと判定された場合は、ステップＳ６９へ進み、吹出口モードがフェイスモードであるか否かを判定する。ステップＳ６９にて吹出口モードがフェイスモードであると判定された場合は、ステップＳ７０へ進み、ＣＯＯＬサイクルを選択してステップＳ７へ進む。その理由はステップＳ６５と同様である。ステップＳ６９にて吹出口モードがフェイスモードでないと判定された場合は、前述のステップＳ６６へ進む。
【０１１８】
ステップＳ７では、送風機３２により送風される空気の目標送風量を決定する。具体的には、送風機３２の電動モータに印加するブロワモータ電圧を決定する。このステップ７のより詳細な制御内容については、図１０を用いて説明する。まず、ステップＳ７１では、操作パネル６０のオートスイッチが投入されているか否かが判定される。
【０１１９】
ステップＳ７１にてオートスイッチが投入されていないと判定された場合は、ステップＳ７２へ進み、操作パネル６０の風量設定スイッチによってマニュアル設定された乗員の所望の風量となるブロワモータ電圧が決定されて、ステップＳ８へ進む。具体的には、本実施形態の風量設定スイッチは、Ｌｏ→Ｍ１→Ｍ２→Ｍ３→Ｈｉの５段階の風量を設定することができ、それぞれ４Ｖ→６Ｖ→８Ｖ→１０Ｖ→１２Ｖの順にブロワモータ電圧が高くなるように決定される。
【０１２０】
一方、ステップＳ７１にてオートスイッチが投入されていると判定された場合は、ステップＳ７３へ進み、現在の車両用空調装置１の作動がマイルーム空調としての作動であるか否かを判定する。具体的には、ステップＳ１にて説明したマイルーム空調であること示すフラグがＯＮとなっているか否かを判定する。
【０１２１】
ステップＳ７３にて、マイルーム空調としての作動ではないと判定された場合には、ステップＳ７４へ進み、ステップＳ４で決定された目標吹出温度ＴＡＯに基づいて、予め空調制御装置５０に記憶された制御マップを参照して決定して、ステップＳ８へ進む。
【０１２２】
より詳細には、本実施形態では、ＴＡＯの極低温域（最大冷房域）および極高温域（最大暖房域）でブロワモータ電圧を最大値（約１２Ｖ）付近の高電圧にして、送風機３２の風量を最大風量付近に制御する。また、ＴＡＯが極低温域から中間温度域に向かって上昇すると、ＴＡＯの上昇に応じてブロワモータ電圧を減少して、送風機３２の風量を減少させる。
【０１２３】
さらに、ＴＡＯが極高温域から中間温度域に向かって低下すると、ＴＡＯの低下に応じてブロワモータ電圧を減少して、送風機３２の風量を減少させる。また、ＴＡＯが所定の中間温度域内に入ると、ブロワモータ電圧を最小値（約４Ｖ）にして送風機３２の風量を最小値にする。
【０１２４】
一方、ステップＳ７３にて、マイルーム空調としての作動であると判定された場合には、ステップＳ７５へ進み、ステップＳ７４と同様に、ステップＳ４で決定された目標吹出温度ＴＡＯに基づいて、予め空調制御装置５０に記憶された制御マップを参照してブロワモータ電圧を決定して、ステップＳ８へ進む。
【０１２５】
図１０の制御ステップＳ７４、７５から明らかなように、ステップＳ７５では、ステップＳ７４と同様に、ＴＡＯに応じてブロワモータ電圧を決定しているものの、いずれの決定値についても、ステップＳ７４で決定される値よりも小さく決定される。換言すると、本実施形態のブロアモータ電圧は、外部電源からの電力の供給されるマイルーム空調時には、マイルーム空調以外の空調時よりも、送風機３２の送風能力が低下するように決定される。
【０１２６】
例えば、ステップＳ７４では、ＴＡＯの極低温域（最大冷房域）および極高温域（最大暖房域）でブロワモータ電圧を約１２Ｖとしているが、ステップＳ７５では、約１０Ｖとしている。また、ステップＳ７４では、ＴＡＯが所定の中間温度域内に入ると、ブロワモータ電圧を約４Ｖとしているが、ステップＳ７５では、約３Ｖとしている。
【０１２７】
ステップＳ８では、吸込口モード、すなわち内外気切替箱の切替状態を決定する。この吸込口モードもＴＡＯに基づいて、予め空調制御装置５０に記憶された制御マップを参照して決定する。本実施形態では、基本的に外気を導入する外気モードが優先されるが、ＴＡＯが極低温域となって高い冷房性能を得たい場合等に内気を導入する内気モードが選択される。さらに、外気の排ガス濃度を検出する排ガス濃度検出手段を設け、排ガス濃度が予め定めた基準濃度以上となったときに、内気モードを選択するようにしてもよい。
【０１２８】
ステップＳ９では、吹出口モードを決定する。この吹出口モードもＴＡＯに基づいて、予め空調制御装置５０に記憶された制御マップを参照して決定する。本実施形態では、ＴＡＯが低温域から高温域へと上昇するにつれて吹出口モードをフットモード→バイレベルモード→フェイスモードへと順次切り替える。
【０１２９】
従って、夏季は主にフェイスモード、春秋季は主にバイレベルモード、そして冬季は主にフットモードが選択される。さらに、湿度センサ等の検出値から算出される窓ガラス表面の相対湿度ＲＨＷに基づいて、窓ガラスに曇りが発生する可能性が高いと判定された場合に、フットデフロスタモードあるいはデフロスタモードを選択するようにしてもよい。
【０１３０】
ステップＳ１０では、エアミックスドア３８の目標開度ＳＷを上記ＴＡＯ、蒸発器温度センサ５６によって検出された室内蒸発器２６からの吹出空気温度Ｔｅ、加熱器温度に基づいて算出する。
【０１３１】
ここで、加熱器温度とは、加熱用冷風通路３３に配置された加熱手段（ヒータコア３６、室内凝縮器１２、およびＰＴＣヒータ３７）の加熱能力に応じて決定される値であって、一般的には、エンジン冷却水温度Ｔｗを採用できる。従って、目標開度ＳＷは、次の数式Ｆ２により算出できる。
ＳＷ＝［（ＴＡＯ−Ｔｅ）／（Ｔｗ−Ｔｅ）］×１００（％）…（Ｆ２）
なお、ＳＷ＝０（％）は、エアミックスドア３８の最大冷房位置であり、冷風バイパス通路３４を全開し、加熱用冷風通路３３を全閉する。これに対し、ＳＷ＝１００（％）は、エアミックスドア３８の最大暖房位置であり、冷風バイパス通路３４を全閉し、加熱用冷風通路３３を全開する。
【０１３２】
ステップＳ１１では、圧縮機１１の冷媒吐出能力（具体的には、圧縮機１１の回転数）を決定する。ここで、圧縮機１１の基本的な回転数の決定手法を説明する。例えば、冷房モードでは、ステップＳ４で決定したＴＡＯ等に基づいて、予め空調制御装置５０に記憶されている制御マップを参照して、室内蒸発器２６からの吹出空気温度Ｔｅの目標吹出温度ＴＥＯを決定する。
【０１３３】
そして、この目標吹出温度ＴＥＯと吹出空気温度Ｔｅの偏差Ｅｎ（ＴＥＯ−Ｔｅ）を算出し、今回算出された偏差Ｅｎから前回算出された偏差Ｅｎ−１を減算した偏差変化率Ｅｄｏｔ（Ｅｎ−（Ｅｎ−１））とを用いて、予め空調制御装置５０に記憶されたメンバシップ関数とルールとに基づいたファジー推論に基づいて、前回の圧縮機回転数ｆＣｎ−１に対する回転数変化量Δｆ＿Ｃを求める。
【０１３４】
また、暖房モード、第１除湿モードおよび第２除湿モードでは、ステップＳ４で決定した暖房用熱交換器目標温度等に基づいて、予め空調制御装置５０に記憶されている制御マップを参照して、吐出側冷媒圧力（高圧側冷媒圧力）Ｐｄの目標高圧ＰＤＯを決定する。
【０１３５】
そして、この目標高圧ＰＤＯと吐出側冷媒圧力Ｐｄの偏差Ｐｎ（ＰＤＯ−Ｐｄ）を算出し、今回算出された偏差Ｐｎから前回算出された偏差Ｐｎ−１を減算した偏差変化率Ｐｄｏｔ（Ｐｎ−（Ｐｎ−１））とを用いて、予め空調制御装置５０に記憶されたメンバシップ関数とルールとに基づいたファジー推論に基づいて、前回の圧縮機回転数ｆＨｎ−１に対する回転数変化量Δｆ＿Ｈを求める。
【０１３６】
このステップＳ１１のより詳細な制御内容については、図１１を用いて説明する。まず、ステップＳ１１１では、冷房モード（ＣＯＯＬサイクル）時の回転数変化量Δｆ＿Ｃを求める。図１１のステップＳ１１１には、ルールとして用いるファジールール表を記載している。このルール表では、上述の偏差Ｅｎと偏差変化率Ｅｄｏｔに基づいて室内蒸発器２６の着霜が防止されるようにΔｆ＿Ｃが決定される。
【０１３７】
ステップＳ１１２では、暖房モード（ＨＯＴサイクル）、第１除湿モード（ＤＲＹ＿ＥＶＡサイクル）および第２除湿モード（ＤＲＹ＿ＡＬＬサイクル）時の回転数変化量Δｆ＿Ｈを求める。図１１のステップＳ１１２には、ルールとして用いるファジールール表を記載している。このルール表では、上述の偏差Ｐｎと偏差変化率Ｐｄｏｔに基づいて高圧側冷媒圧力Ｐｄの異常上昇が防止されるようにΔｆ＿Ｈが決定される。
【０１３８】
ステップＳ１１３では、現在の車両用空調装置１の作動がマイルーム空調としての作動であるか否かを判定する。具体的には、ステップＳ１にて説明したマイルーム空調であること示すフラグがＯＮとなっているか否かを判定する。
【０１３９】
ステップＳ１１３にて、マイルーム空調としての作動であると判定された際には、ステップＳ１１４へ進み、圧縮機１１の回転数の上限値ＩＶＯｍａｘを６０００ｒｐｍに決定して、ステップＳ１１６へ進む。一方、ステップＳ１１３にて、マイルーム空調としての作動でないと判定された際には、ステップＳ１１５へ進み、上限値ＩＶＯｍａｘを１００００ｒｐｍに決定して、ステップＳ１１６へ進む。
【０１４０】
ステップＳ１１６では、ステップＳ６で決定された運転モードが冷房モードであるか否かが判定される。ステップＳ１１６にて、ステップＳ６で決定された運転モードが冷房モードであると判定された場合は、ステップＳ１１７へ進み、圧縮機１１の回転数変化量ΔｆをΔｆ＿Ｃに決定して、ステップＳ１１９へ進む。
【０１４１】
一方、ステップＳ１１６にてステップＳ６で決定された運転モードが冷房モードでないと判定された場合は、ステップＳ１１８へ進み、圧縮機１１の回転数変化量ΔｆをΔｆ＿Ｈに決定してステップＳ１１９へ進む。
【０１４２】
ステップＳ１１９では、前回の圧縮機回転数ｆｎ−１に回転数変化量Δｆを加えた値とステップＳ１１４、Ｓ１１５にて決定された上限値ＩＶＯｍａｘとを比較して、小さい方の値を、今回の圧縮機回転数ｆｎと決定して、ステップＳ１２へ進む。このように圧縮機回転数ｆｎが決定されることにより、圧縮機１１の回転数（冷媒吐出能力）の上限値が制限されるので、圧縮機１１の消費電力が不必要に増加してしまうことを抑制できる。
【０１４３】
また、上記の説明から明らかなように、ステップＳ１１４で決定されるマイルーム空調時の圧縮機１１の回転数の上限値ＩＶＯｍａｘは、マイルーム空調時の圧縮機１１の回転数の上限値ＩＶＯｍａｘよりも低い値に決定される。
【０１４４】
このことは、外部電源から供給される電力によって車室内の空調を実行する際に、圧縮機１１の冷媒吐出能力の上限値を、外部電源から電力が供給されていない時（電力の非供給時）よりも低下させることを意味している。なお、ステップＳ１１９における圧縮機回転数ｆｎの決定は、制御周期τ毎に行われるものではなく、所定の制御間隔（本実施形態では１秒）毎に行われる。
【０１４５】
ステップＳ１２では、室外熱交換器１６に向けて外気を送風する送風ファン１６ａの稼働率（具体的には、送風ファン１６ａの回転数）を決定する。このステップＳ１２のより詳細な制御内容については、図１２を用いて説明する。まず、ステップＳ１２０１では、ステップＳ６で決定された運転モードが冷房モードであるか否かが判定される。
【０１４６】
ステップＳ１２０１にて、ステップＳ６で決定された運転モードが冷房モードであると判定された場合は、ステップＳ１２０２へ進み、現在の車両用空調装置１の作動がマイルーム空調としての作動であるか否かを判定する。具体的には、ステップＳ１にて説明したマイルーム空調であること示すフラグがＯＮとなっているか否かを判定する。
【０１４７】
ステップＳ１２０２にて、マイルーム空調としての作動であると判定された場合は、ステップＳ１２０３へ進み、冷凍サイクル１０の冷媒圧力（例えば、圧縮機１１の吐出冷媒圧力）が予め定めた第１基準高圧（本実施形態では、１．８ＭＰａ）以上であれば、冷媒圧力が高圧の状態であるものとし、予め定めた第２基準高圧（本実施形態では、１．５ＭＰａ）以下であれば、冷媒圧力が低圧の状態であるものとしてステップＳ１２０５へ進む。
【０１４８】
一方、ステップＳ１２０２にて、マイルーム空調としての作動ではないと判定された場合は、ステップＳ１２０４へ進み、冷凍サイクル１０の冷媒圧力が予め定めた第３基準高圧（本実施形態では、１．５ＭＰａ）以上であれば、冷媒圧力が高圧の状態であるものとし、予め定めた第４基準高圧（本実施形態では、１．２ＭＰａ）以下であれば、冷媒圧力が低圧の状態であるものとしてステップＳ１２０５へ進む。
【０１４９】
つまり、ステップＳ１２０３では、ステップＳ１２０２よりも各基準高圧が低く設定されているので、マイルーム空調時には、マイルーム空調以外の空調時よりも冷媒圧力が低圧の状態と判定されやすい。なお、第１基準高圧と第２基準高圧との差、および、第３基準高圧と第４基準高圧との差は制御ハンチング防止のためのヒステリシス幅である。
【０１５０】
次に、ステップＳ１２０５では、外気センサ５２によって検出された外気温Ｔａｍが高外気温の状態であるか低外気温の状態であるか、内気センサ５１によって検出された車室内温度Ｔｒが高室温の状態であるか低室温の状態であるか、および、車速が高車速の状態であるか低車速の状態であるかといった空調熱負荷状態が判定されて、ステップＳ１２０６へ進む。なお、これらの判定は、ステップＳ１２０２、Ｓ１２０３と同様に検出値と予め設定された基準値との比較によって行われる。
【０１５１】
ステップＳ１２０６では、ステップＳ１２０３〜Ｓ１２０５にて決定された冷媒圧力、外気温Ｔａｍ、車室内温度Ｔｒ、車速の状態に基づいて、予め空調制御装置５０に記憶されている制御マップを参照して送風ファン１６ａの稼働率が決定されて、ステップＳ１３へ進む。
【０１５２】
具体的には、ステップＳ１２０６では、冷媒圧力が低圧の状態であって、外気温Ｔａｍが低外気温、かつ、車室内温度Ｔｒが低車室内温度、かつ、車速が低車速の状態であれば、送風ファン１６ａをＬＯモード（小風量）とする。また、冷媒圧力が低圧の状態であって、外気温Ｔａｍが低外気温、かつ、車室内温度Ｔｒが低車室内温度、かつ、車速が高車速の状態であれば、送風ファン１６ａをＯＦＦモード（停止）とする。
【０１５３】
また、冷媒圧力が低圧の状態であって、外気温Ｔａｍが低外気温、かつ、車室内温度Ｔｒが低室温の状態になっていなければ、送風ファン１６ａをＨｉモード（大風量）とする。さらに、冷媒圧力が低圧の状態であれば、外気温Ｔａｍ、車室内温度Ｔｒ、車速の状態によらず、送風ファン１６ａをＨｉモード（大風量）とする。
【０１５４】
一方、ステップＳ１２０１にて、ステップＳ６で決定された運転モードが冷房モードではないと判定された場合は、ステップＳ１２０７へ進み、ステップＳ１２０２と同様に、現在の車両用空調装置１の作動がマイルーム空調としての作動であるか否かを判定する。
【０１５５】
さらに、ステップＳ１２０７にて、マイルーム空調としての作動であると判定された場合は、ステップＳ１２０８へ進み、ステップＳ１２０３と同様に冷凍サイクル１０の冷媒圧力の状態が判定されて、ステップＳ１２１０へ進む。また、ステップＳ１２０７にて、マイルーム空調としての作動ではないと判定された場合は、ステップＳ１２０９へ進み、ステップＳ１２０４と同様に冷凍サイクル１０の冷媒圧力の状態が判定されて、ステップＳ１２１０へ進む。
【０１５６】
ステップＳ１２１０では、ステップＳ１２０５と同様に、外気温Ｔａｍが高外気温の状態であるか低外気温の状態であるか、車室内温度Ｔｒが高室温の状態であるか低室温の状態であるか、および車速が高車速の状態であるか低車速の状態であるかが判定されて、ステップＳ１２１１へ進む。
【０１５７】
なお、ステップＳ１２１０における判定は、ステップＳ１２０５と同様に、予め設定された基準値との比較によって行われるが、ステップＳ１２１０にて用いられる基準値は、図１２に示すように、ステップＳ１２０５にて用いられる基準値と異なっている。
【０１５８】
例えば、ステップＳ１２１０では、ステップＳ１２０５よりも、外気温Ｔａｍについては基準値が低いので高外気温の状態であると判定されやすく、車室内温度Ｔｒについては基準値が低いので高室温の状態であると判定されやすく、さらに、車速については、基準値が高いので、低車速の状態であると判定されやすい。
【０１５９】
ステップＳ１２１１では、ステップＳ１２０６と同様に、ステップＳ１２０８〜Ｓ１２１０にて決定された冷媒圧力、外気温Ｔａｍ、車室内温度Ｔｒ、車速の状態に基づいて、予め空調制御装置５０に記憶されている制御マップを参照して送風ファン１６ａの稼働率が決定されて、ステップＳ１３へ進む。
【０１６０】
具体的には、ステップＳ１２１１では、冷媒圧力が低圧の状態であって、かつ、車速が低車速の状態であれば、送風ファン１６ａをＬＯモード（小風量）とする。また、冷媒圧力が低圧の状態であって、かつ、車速が高車速の状態であれば、送風ファン１６ａをＯＦＦモード（停止）とする。
【０１６１】
また、冷媒圧力が高圧の状態であって、外気温Ｔａｍが低外気温、車室内温度Ｔｒが低車室内温度、かつ、車速が低車速の状態であれば、送風ファン１６ａをＨｉモード（大風量）とし、冷媒圧力が低圧の状態であって、外気温Ｔａｍが低外気温、車室内温度Ｔｒが低車室内温度、かつ、車速が低車速の状態でなければ、送風ファン１６ａをＯＦＦモード（停止）とする。
【０１６２】
さらに、冷媒圧力が低圧の状態であって、外気温Ｔａｍが低外気温、かつ、車室内温度Ｔｒが低室温の状態であれば、外気温Ｔａｍ、車室内温度Ｔｒ、車速によらず、低車速の状態では、送風ファン１６ａをＬｏモード（小風量）とし、高車速の状態では、送風ファン１６ａをＯＦＦモード（停止）とする。
【０１６３】
上記のステップＳ１２０２およびＳ１２０３にて説明したように、マイルーム空調時には、マイルーム空調以外の空調時よりも冷媒圧力が低圧の状態と判定されやすい。一方、ステップＳ１２０６およびＳ１２１１にて説明したように、冷媒圧力が低圧の状態では、高圧の状態よりも送風ファン１６ａはＨｉモード（大風量）となりにくい。
【０１６４】
このことは、本実施形態の送風ファン１６ａの稼働率は、外部電源からの電力の供給されるマイルーム空調時には、マイルーム空調以外の空調時よりも、送風ファン１６ａの送風能力が低下するように決定されることを意味している。
【０１６５】
ステップＳ１３では、ＰＴＣヒータ３７の作動本数の決定および電熱デフォッガの作動状態の決定が行われる。ＰＴＣヒータ３７の作動本数は、例えば、ステップＳ６にてＰＴＣヒータ３７への通電の必要があるとされたときに、暖房モード時にエアミックスドア３８の目標開度ＳＷが１００％となっても、暖房用熱交換器目標温度を得られない場合に、内気温Ｔｒと暖房用熱交換器目標温度との差に応じて決定すればよい。
【０１６６】
また、車室内の湿度および温度から窓ガラスに曇りが発生する可能性が高い場合、あるいは窓ガラスに曇りが発生している場合は、電熱デフォッガを作動させる。
【０１６７】
ステップＳ１４では、ヒータコア３６とエンジンＥＧとの間で冷却水を循環させる冷却水ポンプ４０ａを作動させるか否かを決定する。このステップＳ１４の詳細については、図１３のフローチャートを用いて説明する。まず、ステップＳ１４１では、冷却水温度Ｔｗが室内蒸発器２６からの吹出空気温度Ｔｅより高いか否かを判定する。
【０１６８】
ステップＳ１４１にて、冷却水温度Ｔｗが吹出空気温度Ｔｅ以下となっている場合は、ステップＳ１４５へ進み、冷却水ポンプ４０ａを停止（ＯＦＦ）させることを決定する。その理由は、冷却水温度Ｔｗが吹出空気温度Ｔｅ以下となっている場合に冷却水をヒータコア３６へ流すと、ヒータコア３６を流れる冷却水が蒸発器１３通過後の空気を冷却して、かえって吹出口からの吹出空気温度を低下させてしまうからである。
【０１６９】
ステップＳ１４１にて、冷却水温度Ｔｗが吹出空気温度Ｔｅより高い場合は、ステップＳ１４２へ進む。ステップＳ１４２では、送風機３２が作動しているか否かが判定される。ステップＳ１４２にて、送風機３２が作動していないと判定された場合は、ステップＳ１４５に進み、省動力化のために冷却水ポンプ４０ａを停止（ＯＦＦ）させることを決定する。
【０１７０】
ステップＳ１４２にて、送風機３２が作動していると判定された場合は、ステップＳ１４３へ進む。ステップＳ１４３では、上述のステップＳ７、Ｓ１１、Ｓ１２等と同様に、現在の車両用空調装置１の作動がマイルーム空調としての作動であるか否かを判定する。ステップＳ１４２にて、マイルーム空調としての作動であると判定された場合は、ステップＳ１４５に進み、冷却水ポンプ４０ａを停止（ＯＦＦ）させることを決定する。
【０１７１】
ステップＳ１４３にて、マイルーム空調としての作動ではないと判定された場合は、ステップＳ１４４へ進み、冷却水ポンプ４０ａを作動（ＯＮ）させることを決定してステップＳ１５へ進む。これにより、冷却水ポンプ４０ａが作動して、冷却水が冷媒回路内を循環するので、ヒータコア３６を流れる冷却水とヒータコア３６を通過する空気とを熱交換させて送風空気を加熱することができる。
【０１７２】
ステップＳ１５では、報知手段としての操作パネル６０の作動状態を決定する。具体的には、マイルーム空調時にバッテリ８１の蓄電残量が予め定めた基準報知蓄電残量以下になっていれば、これを表示させ、さらに、操作パネル６０に内蔵されたブザーを所定時間（本実施形態では、２秒間）作動させる。
【０１７３】
ステップＳ１６では、上述のステップＳ６で決定された運転モードに応じて、冷媒回路切替手段である各電磁弁１３〜２４の作動状態を決定する。
【０１７４】
具体的には、図１４の図表に示すように、運転モードが冷房モード（ＣＯＯＬサイクル）に決定されている場合は、全ての電磁弁を非通電状態とする。また、暖房モード（ＨＯＴサイクル）に決定されている場合は、電気式三方弁１３、高圧電磁弁２０、低圧電磁弁１７を通電状態とし、残りの電磁弁２１、２４を非通電状態とする。
【０１７５】
また、第１除湿モード（ＤＲＹ＿ＥＶＡサイクル）に決定されている場合は、電気式三方弁１３、低圧電磁弁１７、除湿電磁弁２４および熱交換器遮断電磁弁２１を通電状態とし、高圧電磁弁２０を非通電状態とする。また、第２除湿モード（ＤＲＹ＿ＡＬＬサイクルに決定されている場合は、電気式三方弁１３、低圧電磁弁１７、除湿電磁弁２４を通電状態とし、残りの電磁弁２０、２１を非通電状態とする。
【０１７６】
つまり、本実施形態では、いずれの運転モードの冷媒回路に切り替えた場合であっても、各電磁弁１３〜２４のうち少なくとも１つの電磁弁に対する電力の供給が停止されるように構成されている。これにより、本実施形態の各電磁弁１３〜２４の合計消費電力を低減できるようにしている。
【０１７７】
ステップＳ１７では、上述のステップＳ６〜Ｓ１６で決定された制御状態が得られるように、空調制御装置５０より各種機器６１、１３、１７、２０、２１、２４、１６ａ、３２、３７、６２、６３、６４に対して制御信号および制御電圧が出力される。例えば、圧縮機１１の電動モータ１１ｂ用のインバータ６１に対しては、圧縮機１１の回転数がステップＳ１１で決定された回転数となるように制御信号が出力される。
【０１７８】
ステップＳ１８では、制御周期τの間待機し、制御周期τの経過を判定するとステップＳ１９へ進む。なお、本実施形態は制御周期τを２５０ｍｓとしている。これは、車室内の空調制御は、エンジン制御等と比較して遅い制御周期であってもその制御性に悪影響を与えないからである。さらに、車両内における空調制御のための通信量を抑制して、エンジン制御等のように高速制御を行う必要のある制御系の通信量を充分に確保することができる。
【０１７９】
ここで、本実施形態のプラグインハイブリッド車両のように、外部電源から供給された電力をバッテリ８１に充電することができる車両では、外部電源からの過度な電力供給によって過充電が生じると、バッテリ８１の発熱、発煙、発火および劣化といった不具合が生じる。そのため、エンジン制御装置では、外部電源から供給される電力を検出する電力計の検出信号等に基づいて外部電源から供給される電力、換言すると、外部電源に要求する要求電力の量を制御している。
【０１８０】
さらに、外電電源から電力が供給されている時であっても、車両用空調装置１の各種電動式構成機器１１、１６ａ、３２、４０ａの過度な電力消費による過放電が生じると、バッテリ８１の寿命低下といった不具合が生じる。そこで、本実施形態の空調制御装置５０では、ステップＳ１９にて、外部電源から電源が供給された状態で車両用空調装置１を作動させた際に、エンジン制御装置に対して要求電力を変更させる信号を出力している。
【０１８１】
このステップＳ１９のより詳細な制御内容については、図１５を用いて説明する。まず、ステップＳ１９１では、上述のステップＳ７、Ｓ１１、Ｓ１２、Ｓ１４等と同様に、現在の車両用空調装置１の作動がマイルーム空調としての作動であるか否かを判定する。ステップＳ１９１にて、マイルーム空調としての作動ではないと判定された場合は、外部電源に対する要求電力の変更は行われず、ステップＳ３へ戻る。
【０１８２】
一方、ステップＳ１９１にて、マイルーム空調としての作動であると判定された場合は、ステップＳ１９２に進み、外部電源の電圧（実行値）が１００Ｖ（誤差範囲±１０Ｖ程度）であるか、２００Ｖ（誤差範囲±２０Ｖ程度）であるかを判定する。なお、ステップＳ１９２における判定は、外部電源が商用電源である場合の電圧変動を考慮して、誤差範囲が決定されている。
【０１８３】
ステップＳ１９２にて、外部電源の電圧が１００Ｖであると判定された場合には、ステップＳ１９３へ進み、車両の消費電力が予め定めた第１基準消費電力（本実施形態では、１０００Ｗ）より多いか否かを判定する。なお、ステップＳ１９３における車両の消費電力とは、具体的に、圧縮機１１、送風ファン１６ａ、送風機３２、冷却水ポンプ４０ａ、空調制御装置５０等の消費する消費電力の合計値である。
【０１８４】
ステップＳ１９３にて、車両の消費電力が第１基準消費電力より多いと判定された場合には、ステップＳ１９４へ進み、外部電源への要求電力を１０００Ｗとして、ステップＳ３へ戻る。一方、ステップＳ１９３にて、車両の消費電力が第１基準消費電力より多くないと判定された場合には、ステップＳ１９５へ進み、外部電源への要求電力を車両の消費電力×０．９５として、ステップＳ３へ戻る。
【０１８５】
また、ステップＳ１９２にて、外部電源の電圧が２００Ｖであると判定された場合には、ステップＳ１９６へ進み、車両の消費電力が予め定めた第２基準消費電力（本実施形態では、２０００Ｗ）より多いか否かを判定する。
【０１８６】
ステップＳ１９６にて、車両の消費電力が第２基準消費電力より多いと判定された場合には、ステップＳ１９７へ進み、外部電源への要求電力を２０００Ｗとして、ステップＳ３へ戻る。一方、ステップＳ１９６にて、車両の消費電力が第１基準消費電力より多くないと判定された場合には、ステップＳ１９８へ進み、外部電源への要求電力を第２基準消費電力×０．９５として、ステップＳ３へ戻る。
【０１８７】
つまり、本実施形態の制御ステップＳ１９では、マイルーム空調時には、外部電源の電圧によらず、車両の消費電力よりも、外部電源への要求電力が小さくなる。
【０１８８】
なお、ステップＳ１９４にて決定される要求電力（１０００Ｗ）は、外部電源の電圧が１００Ｖとなっているときに、車両用空調装置１が充分な空調能力を発揮できる値として決定されている。ステップＳ１９７にて決定される要求電力（２０００Ｗ）は、外部電源の電圧が２００Ｖとなっているときに、車両用空調装置１が充分な空調能力を発揮できる値として決定されている。
【０１８９】
本実施形態の車両用空調装置１は、以上の如く制御されるので、制御ステップＳ６にて選択された運転モードに応じて以下のように作動する。
【０１９０】
（ａ）冷房モード（ＣＯＯＬサイクル：図１参照）
冷房モードでは、空調制御装置５０が全ての電磁弁を非通電状態とするので、電気式三方弁１３が室内凝縮器１２の冷媒出口側と第１三方継手１５の１つの冷媒流入出口との間を接続し、低圧電磁弁１７が閉弁し、高圧電磁弁２０が開弁し、熱交換器遮断電磁弁２１が開弁し、除湿電磁弁２４が閉弁する。
【０１９１】
これにより、図１の矢印に示すように、圧縮機１１→室内凝縮器１２→電気式三方弁１３→第１三方継手１５→室外熱交換器１６→第２三方継手１９→高圧電磁弁２０→第２逆止弁２２→温度式膨張弁２７の可変絞り機構部２７ｂ→第４三方継手２５→室内蒸発器２６→温度式膨張弁２７の感温部２７ａ→第５三方継手２８→アキュムレータ２９→圧縮機１１の順に冷媒が循環する蒸気圧縮式冷凍サイクルが構成される。
【０１９２】
この冷房モードの冷媒回路では、電気式三方弁１３から第１三方継手１５へ流入した冷媒は、低圧電磁弁１７が閉弁しているので低圧電磁弁１７側へ流出することはない。また、室外熱交換器１６から第２三方継手１９へ流入した冷媒は、除湿電磁弁２４が閉弁しているので熱交換器遮断電磁弁２１側へ流出することはない。また、温度式膨張弁２７の可変絞り機構部２７ｂから流出した冷媒は、除湿電磁弁２４が閉弁しているので除湿電磁弁２４側へ流出することはない。さらに、温度式膨張弁２７の感温部２７ａから第５三方継手２８へ流入した冷媒は、第２逆止弁２２の作用によって第２逆止弁２２側に流出することはない。
【０１９３】
従って、圧縮機１１にて圧縮された冷媒は、室内凝縮器１２にて室内蒸発器２６通過後の送風空気（冷風）と熱交換して冷却され、さらに、室外熱交換器１６にて外気と熱交換して冷却され、温度式膨張弁２７にて減圧膨張される。温度式膨張弁２７にて減圧された低圧冷媒は室内蒸発器２６へ流入し、送風機３２から送風された送風空気から吸熱して蒸発する。これにより、室内蒸発器２６を通過する送風空気が冷却される。
【０１９４】
この際、前述の如くエアミックスドア３８の開度が調整されるので、室内蒸発器２６にて冷却された送風空気の一部（または全部）が冷風バイパス通路３４から混合空間３５へ流入し、室内蒸発器２６にて冷却された送風空気の一部（または全部）が加熱用冷風通路３３へ流入してヒータコア３６、室内凝縮器１２、ヒータコア３６を通過する際に再加熱されて混合空間３５へ流入する。
【０１９５】
これにより、混合空間３５にて混合されて車室内へ吹き出す送風空気の温度が所望の温度に調整されて、車室内の冷房を行うことができる。なお、冷房モードでは、送風空気の除湿能力も高いが、暖房能力は殆ど発揮されない。
【０１９６】
また、室内蒸発器２６から流出した冷媒は、温度式膨張弁２７の感温部６１ａを介して、アキュムレータ２９へ流入する。アキュムレータ２９にて気液分離された気相冷媒は、圧縮機１１に吸入されて再び圧縮される。
【０１９７】
さらに、この冷房モードの冷媒回路では、図１の記載から明らかなように、冷凍サイクル１０の冷媒流路内の異なる２箇所の部位が互いに連通している。換言すると、冷房モードの冷媒回路では、冷凍サイクル１０を構成する冷媒流路内に他の部位と連通しない閉塞回路が形成されていない。
【０１９８】
（ｂ）暖房モード（ＨＯＴサイクル：図２参照）
暖房モードでは、空調制御装置５０が電気式三方弁１３、高圧電磁弁２０、低圧電磁弁１７を通電状態とし、残りの電磁弁２１、２４を非通電状態とするので、電気式三方弁１３が室内凝縮器１２の冷媒出口側と固定絞り１４の冷媒入口側との間を接続し、低圧電磁弁１７が開弁し、高圧電磁弁２０が閉弁し、熱交換器遮断電磁弁２１が開弁し、除湿電磁弁２４が閉弁する。
【０１９９】
これにより、図２の矢印に示すように、圧縮機１１→室内凝縮器１２→電気式三方弁１３→固定絞り１４→第３三方継手２３→熱交換器遮断電磁弁２１→第２三方継手１９→室外熱交換器１６→第１三方継手１５→低圧電磁弁１７→第１逆止弁１８→第５三方継手２８→アキュムレータ２９→圧縮機１１の順に冷媒が循環する蒸気圧縮式冷凍サイクルが構成される。
【０２００】
この暖房モードの冷媒回路では、固定絞り１４から第３三方継手２３へ流入した冷媒は、除湿電磁弁２４が閉弁しているので除湿電磁弁２４側へ流出することはない。また、熱交換器遮断電磁弁２１から第２三方継手１９へ流入した冷媒は、高圧電磁弁２０が閉弁しているので高圧電磁弁２０側へ流出することはない。また、室外熱交換器１６から第１三方継手１５へ流入した冷媒は、電気式三方弁１３が室内凝縮器１２の冷媒出口側と固定絞り１４の冷媒入口側との間を接続しているので電気式三方弁１３側へ流出することはない。第１逆止弁１８から第５三方継手２８へ流入した冷媒は、除湿電磁弁２４が閉じているので温度式膨張弁２７側へ流出することはない。
【０２０１】
従って、圧縮機１１にて圧縮された冷媒は、室内凝縮器１２にて送風機３２から送風された送風空気と熱交換して冷却される。これにより、室内凝縮器１２を通過する送風空気が加熱される。この際、エアミックスドア３８の開度が調整されるので、冷房モードと同様に、混合空間３５にて混合されて車室内へ吹き出す送風空気の温度が所望の温度に調整されて、車室内の暖房を行うことができる。なお、暖房モードでは、送風空気の除湿能力は発揮されない。
【０２０２】
また、室内凝縮器１２から流出した冷媒は、固定絞り１４にて減圧されて室外熱交換器１６へ流入する。室外熱交換器１６へ流入した冷媒は、送風ファン１６ａから送風された車室外空気から吸熱して蒸発する。室外熱交換器１６から流出した冷媒は、低圧電磁弁１７、第１逆止弁１８等を介して、アキュムレータ２９へ流入する。アキュムレータ２９にて気液分離された気相冷媒は、圧縮機１１に吸入されて再び圧縮される。
【０２０３】
（ｃ）第１除湿モード（ＤＲＹ＿ＥＶＡサイクル：図３参照）
第１除湿モードでは、空調制御装置５０が電気式三方弁１３、低圧電磁弁１７、熱交換器遮断電磁弁２１および除湿電磁弁２４を通電状態とし、高圧電磁弁２０を非通電状態とするので、電気式三方弁１３が室内凝縮器１２の冷媒出口側と固定絞り１４の冷媒入口側との間を接続し、低圧電磁弁１７が開弁し、高圧電磁弁２０が開弁し、熱交換器遮断電磁弁２１が閉弁し、除湿電磁弁２４が開弁する。
【０２０４】
これにより、図３の矢印に示すように、圧縮機１１→室内凝縮器１２→電気式三方弁１３→固定絞り１４→第３三方継手２３→除湿電磁弁２４→第４三方継手２５→室内蒸発器２６→温度式膨張弁２７の感温部２７ａ→第５三方継手２８→アキュムレータ２９→圧縮機１１の順に冷媒が循環する蒸気圧縮式冷凍サイクルが構成される。
【０２０５】
この第１除湿モードの冷媒回路では、固定絞り１４から第３三方継手２３へ流入した冷媒は、熱交換器遮断電磁弁２１が閉弁しているので熱交換器遮断電磁弁２１側へ流出することはない。また、除湿電磁弁２４から第４三方継手２５へ流入した冷媒は、第２逆止弁２２の作用によって温度式膨張弁２７の可変絞り機構部２７ｂ側へ流出することはない。また、温度式膨張弁２７の感温部２７ａから第５三方継手２８へ流入した冷媒は、第１逆止弁１８の作用によって第１逆止弁１８側へ流出することはない。
【０２０６】
従って、圧縮機１１にて圧縮された冷媒は、室内凝縮器１２にて室内蒸発器２６通過後の送風空気（冷風）と熱交換して冷却される。これにより、室内凝縮器１２を通過する送風空気が加熱される。室内凝縮器１２から流出した冷媒は、固定絞り１４にて減圧されて室内蒸発器２６へ流入する。
【０２０７】
室内蒸発器２６へ流入した低圧冷媒は、送風機３２から送風された送風空気から吸熱して蒸発する。これにより、室内蒸発器２６を通過する送風空気が冷却されて除湿される。従って、室内蒸発器２６にて冷却されて除湿された送風空気は、ヒータコア３６、室内凝縮器１２、ヒータコア３６を通過する際に再加熱されて、混合空間３５から車室内へ吹き出される。すなわち、車室内の除湿を行うことができる。なお、第１除湿モードでは、送風空気の除湿能力を発揮できるが、暖房能力は小さい。
【０２０８】
また、室内蒸発器２６から流出した冷媒は、温度式膨張弁２７の感温部６１ａを介して、アキュムレータ２９へ流入する。アキュムレータ２９にて気液分離された気相冷媒は、圧縮機１１に吸入されて再び圧縮される。
【０２０９】
（ｄ）第２除湿モード（ＤＲＹ＿ＡＬＬサイクル：図４参照）
第２除湿モードでは、空調制御装置５０が電気式三方弁１３、低圧電磁弁１７、除湿電磁弁２４を通電状態とし、残りの電磁弁２０、２１を非通電状態とするので、電気式三方弁１３が室内凝縮器１２の冷媒出口側と固定絞り１４の冷媒入口側との間を接続し、低圧電磁弁１７が開弁し、高圧電磁弁２０が開弁し、熱交換器遮断電磁弁２１が開弁し、除湿電磁弁２４が開弁する。
【０２１０】
これにより、図４の矢印に示すように、圧縮機１１→室内凝縮器１２→電気式三方弁１３→固定絞り１４→第３三方継手２３→熱交換器遮断電磁弁２１→第２三方継手１９→室外熱交換器１６→第１三方継手１５→低圧電磁弁１７→第１逆止弁１８→第５三方継手２８→アキュムレータ２９→圧縮機１１の順に冷媒が循環するとともに、圧縮機１１→室内凝縮器１２→電気式三方弁１３→固定絞り１４→第３三方継手２３→除湿電磁弁２４→第４三方継手２５→室内蒸発器２６→温度式膨張弁２７の感温部２７ａ→第５三方継手２８→アキュムレータ２９→圧縮機１１の順に冷媒が循環する蒸気圧縮式冷凍サイクルが構成される。
【０２１１】
つまり、第２除湿モードでは、固定絞り１４から第３三方継手２３へ流入した冷媒が熱交換器遮断電磁弁２１側および除湿電磁弁２４側の双方に流出して、第１逆止弁１８から第５三方継手２８へ流入した冷媒および温度式膨張弁２７の感温部２７ａから第５三方継手２８へ流入した冷媒の双方が第５三方継手２８にて合流してアキュムレータ２９側へ流出する。
【０２１２】
なお、この第２除湿モードの冷媒回路では、室外熱交換器１６から第１三方継手１５へ流入した冷媒は、電気式三方弁１３が室内凝縮器１２の冷媒出口側と固定絞り１４の冷媒入口側との間を接続しているので電気式三方弁１３側へ流出することはない。また、除湿電磁弁２４から第４三方継手２５へ流入した冷媒は、第２逆止弁２２の作用によって温度式膨張弁２７の可変絞り機構部２７ｂ側へ流出することはない。
【０２１３】
従って、圧縮機１１にて圧縮された冷媒は、室内凝縮器１２にて室内蒸発器２６通過後の送風空気（冷風）と熱交換して冷却される。これにより、室内凝縮器１２を通過する送風空気が加熱される。室内凝縮器１２から流出した冷媒は、固定絞り１４にて減圧された後、第３三方継手２３にて分岐されて室外熱交換器１６および室内蒸発器２６へ流入する。
【０２１４】
室外熱交換器１６へ流入した冷媒は、送風ファン１６ａから送風された車室外空気から吸熱して蒸発する。室外熱交換器１６から流出した冷媒は、低圧電磁弁１７、第１逆止弁１８等を介して、第５三方継手２８へ流入する。室内蒸発器２６へ流入した低圧冷媒は、送風機３２から送風された送風空気から吸熱して蒸発する。これにより、室内蒸発器２６を通過する送風空気が冷却されて除湿される。
【０２１５】
従って、室内蒸発器２６にて冷却されて除湿された送風空気は、ヒータコア３６、室内凝縮器１２、ヒータコア３６を通過する際に再加熱されて、混合空間３５から車室内へ吹き出される。この際、第２除湿モードでは、第１除湿モードに対して、室外熱交換器１６にて吸熱した熱量を室内凝縮器１２にて放熱することができるので、送風空気を第１除湿モードよりも高温に加熱できる。すなわち、第２除湿モードでは、高い暖房能力を発揮させながら除湿能力も発揮させる除湿暖房を行うことができる。
【０２１６】
また、室内蒸発器２６から流出した冷媒は、第５三方継手２８へ流入して室外熱交換器１６から流出した冷媒と合流し、アキュムレータ２９へ流入する。アキュムレータ２９にて気液分離された気相冷媒は、圧縮機１１に吸入されて再び圧縮される。
【０２１７】
さらに、上記の如く、冷房モードの冷媒回路、暖房モードの冷媒回路、および第１除湿モードの冷媒回路は、いずれも圧縮機１１に吸入される冷媒を室外熱交換器１６と室内熱交換器（具体的には、室内凝縮器１２、室内蒸発器２６）とのうちいずれか一方に流通させる単独熱交換器モードの冷媒回路であり、第２除湿モードの冷媒回路は、圧縮機１１に吸入される冷媒を室外熱交換器１６と室内熱交換器（具体的には、室内蒸発器２６）との双方に流通させる複合熱交換器モードの冷媒回路であると表現することもできる。
【０２１８】
本実施形態の車両用空調装置は、以上の如く作動するので、以下のような優れた効果を発揮することができる。
【０２１９】
まず、制御ステップＳ７にて説明したように、外部電源からの電力が供給されるマイルーム空調時には、マイルーム空調以外の空調時よりも、送風機３２の送風能力が低下するように決定される。従って、マイルーム空調時に、電動式構成機器である送風機３２の騒音の発生を抑制することができる。
【０２２０】
さらに、制御ステップＳ１１にて説明したように、マイルーム空調時には、マイルーム空調以外の空調時よりも、圧縮機１１の回転数の上限値上限値ＩＶＯｍａｘが低い値に決定される。従って、マイルーム空調時に冷凍サイクル１０に最大能力を発揮させる運転状態が継続されたとしても、マイルーム空調以外の空調時よりも、圧縮機１１の冷媒吐出能力を低下させて、電動式構成機器である圧縮機１１の騒音の発生を抑制することができる。
【０２２１】
さらに、制御ステップＳ１２にて説明したように、マイルーム空調時には、マイルーム空調以外の空調時よりも、送風ファン１６ａの送風能力が低下するように決定される。従って、マイルーム空調時に、電動式構成機器である送風ファン１６ａの騒音の発生を抑制することができる。
【０２２２】
従って、エンジンＥＧが停止しており、エンジン騒音が問題とならないマイルーム空調時に、上述した車両用空調装置１の各種電動式構成機器１１、１６ａ、３２の騒音が、乗員あるいは車両周囲に居る人にとって耳障りとなってしまうことを抑制できる。しかも、各種電動式構成機器１１、１６ａ、３２が高能力を発揮しながら作動する頻度を低下させて、これらの耐久寿命の低下を抑制することもできる。
【０２２３】
さらに、マイルーム空調は、外部電源からバッテリ８１への充電中に乗員が車室内で過ごす際の空調であるため、充電時間が長時間化すれば、マイルーム空調が実行される時間も長くなりやすい。従って、上述した各種電動式構成機器１１、１６ａ、３２を能力を低下させて車両用空調装置１の空調能力を多少低下させてとしても、乗員に不快感を与えにくい。
【０２２４】
その結果、本実施形態の車両用空調装置１によれば、外部電源から供給される電力によって車室内の空調を行う際に、適切な空調を実現しつつ、騒音の発生が抑制された車両用空調装置１を提供できる。
【０２２５】
また、制御ステップＳ１１にて説明したように、車両用空調装置１の作動時には、比較的消費電力の高い、圧縮機１１の回転数（冷媒吐出能力）の上限値が決定されているので、バッテリ８１の過放電を抑制することもできる。
【０２２６】
また、本実施形態では、制御ステップＳ１９にて説明したように、マイルーム空調時には外部電源の電圧によらず、車両の消費電力よりも外部電源への要求電力が小さくなる。従って、外部電源から供給される電力は車両用空調装置１にて消費されることになり、バッテリ８１の過充電を抑制してバッテリ８１の保護を図ることができる。
【０２２７】
さらに、マイルーム空調時には、供給電力が消費電力の上限値と同等程度の９５％となるので、バッテリ８１の過充電を抑制することができるだけでなく、バッテリ８１の過放電についても抑制できる。
【０２２８】
つまり、消費電力の上限値が供給電力以上になっていると、車両用空調装置１を作動させるために供給電力だけでは不足している分の電力をバッテリ８１から持ち出さなければならない。これに対して、本実施形態では、消費電力の上限値を供給電力より僅かに大きい程度（同等）といるので、バッテリ８１から持ち出される電力が不必要に拡大してしまうことを抑制して、バッテリ８１の過放電を抑制できる。
【０２２９】
つまり、本実施形態の車両用空調装置は、外部電源から供給される電力によって電動式構成機器を作動させる際に、電動式構成機器の消費電力が、外部電源からバッテリおよび電動式構成機器へ供給される供給電力以上となることを特徴とする車両用空調装置と表現することもできる。
【０２３０】
（第２実施形態）
上述の実施形態で述べたように、外部電源から供給された電力をバッテリ８１に充電することができるプラグインハイブリッド車両では、バッテリ８１の過充電あるいは過放電によるバッテリ８１の劣化が懸念される。そこで、本実施形態では、第１実施形態に対して、圧縮機１１および送風機３２の制御態様を変更して、効果的にバッテリ８１の劣化の抑制を図った例を説明する。
【０２３１】
まず、図１６を用いて、本実施形態の圧縮機１１の制御態様について説明する。図１６は、第１実施形態の図１１に対応する制御フローを示すフローチャートである。まず、ステップＳ１１１およびＳ１１２では、第１実施形態と同様に、それぞれ冷房モードにおける圧縮機１１の回転数の変化量Δｆ＿Ｃおよび暖房モード、第１除湿モードおよび第２除湿モードにおける圧縮機１１の回転数の変化量Δｆ＿Ｈが決定される。
【０２３２】
なお、図１６のステップＳ１１１およびＳ１１２は、第１実施形態の図１１と全く同様なので、図１６では、図示の明確化のため、ルールとして用いるファジールール表の記載を省略している。続くステップＳ１１３においても、第１実施形態と同様に、現在の車両用空調装置１の作動がマイルーム空調としての作動であるか否かを判定する。
【０２３３】
ステップＳ１１３にて、マイルーム空調としての作動であると判定された際には、ステップＳ１１４１へ進み、車両用空調装置１の各種電動式構成機器１１、１６ａ、３２、４０ａの使用可能な消費電力の上限値としての使用許可電力ｆ（ＰＯＷＥＲ）を２５００Ｗに決定して、ステップＳ１１４２へ進む。ステップＳ１１３にて、マイルーム空調としての作動ではないと判定された際には、後述するステップＳ１１４３へ進む。
【０２３４】
ステップＳ１１４２では、使用許可電力ｆ（ＰＯＷＥＲ）から各種電動式構成機器１１、１６ａ、３２、４０ａの実際の消費電力を減算した消費電力差に基づいて、予め空調制御装置５０に記憶された制御マップを参照して、圧縮機１１の回転数変化量の上限値Δｆ＿ＭＹを決定して、ステップＳ１１４３へ進む。具体的には、図１６のステップＳ１１４２に示すように、消費電力差の増加に伴って上限値Δｆ＿ＭＹが増加するように決定する。
【０２３５】
続くステップＳ１１４３では、バッテリ８１の蓄電残量に応じて、圧縮機１１の回転数の上限値ＩＶＯｍａｘ＿ＳＯＣを決定する。
【０２３６】
具体的には、バッテリ８１の蓄電残量が予め定めた第１基準停止蓄電残量（本実施形態では８０％）以上であれば、上限値ＩＶＯｍａｘ＿ＳＯＣを１００００ｒｐｍに決定し、予め定めた第２基準停止蓄電残量（本実施形態では３０％）以下であれば、上限値ＩＶＯｍａｘ＿ＳＯＣを０ｒｐｍに決定して、ステップＳ１１６へ進む。
【０２３７】
つまり、ステップＳ１１４３では、バッテリ８１の蓄電残量が停止蓄電残量以下となっているときには、圧縮機１１の作動を許可しない。なお、図１６のステップＳ１１４３に示す第１基準停止蓄電残量と第２基準停止蓄電残量との差は制御ハンチング防止のためのヒステリシス幅である。また、第２基準停止蓄電残量は、次回の車両走行時にＥＶ運転モードにて、予め定めた所定の走行距離を確実に走行可能な値として決定されている。
【０２３８】
ステップＳ１１６では、第１実施形態と同様に、運転モードが冷房モードであるか否かが判定される。ステップＳ１１６にて、ステップＳ６で決定された運転モードが冷房モードであると判定された場合は、ステップＳ１１７１へ進み、Δｆ＿ＣとΔｆ＿ＭＹとを比較して小さい方の値を圧縮機１１の回転数変化量Δｆに決定して、ステップＳ１１９１へ進む。
【０２３９】
一方、ステップＳ１１６にて、ステップＳ６で決定された運転モードが冷房モードでないと判定された場合は、ステップＳ１１８１へ進み、Δｆ＿ＨとΔｆ＿ＭＹとを比較して小さい方の値を圧縮機１１の回転数変化量Δｆに決定して、ステップＳ１１９１へ進む。
【０２４０】
ステップＳ１１９１では、前回の圧縮機回転数ｆｎ−１に回転数変化量Δｆを加えた値とステップＳ１１４３にて決定された上限値ＩＶＯｍａｘ＿ＳＯＣとを比較して、小さい方の値を、今回の圧縮機回転数ｆｎと決定して、ステップＳ１２へ進む。なお、ステップＳ１１９１における圧縮機回転数ｆｎの決定は、制御周期τ毎に行われるものではなく、所定の制御間隔（本実施形態では１秒）毎に行われる。
【０２４１】
次に、図１７を用いて、本実施形態の送風機３２の制御態様について説明する。図１７は、第１実施形態の図１１に対応する制御フローを示すフローチャートである。まず、ステップＳ７０１では、バッテリ８１の蓄電残量に応じて決定される圧縮機１１の回転数の上限値ＩＶＯｍａｘ＿ＳＯＣが０となっているか否かを判定する。
【０２４２】
ステップＳ７０１にて、上限値ＩＶＯｍａｘ＿ＳＯＣが０となっていると判定された際には、ステップＳ７０２へ進み、ブロワモータ電圧を０Ｖに決定してステップＳ８へ進む。一方、ステップＳ７０１にて、上限値ＩＶＯｍａｘ＿ＳＯＣが０となっていないと判定された際には、ステップＳ７１へ進む。ステップＳ７１〜Ｓ７５の制御処理は、第１実施形態と同様である。
【０２４３】
さらに、本実施形態では、第１実施形態で説明したステップＳ１５における操作パネル６０の作動状態を決定については、図１８のフローチャートに示すように、ステップＳ１５１にて上限値ＩＶＯｍａｘ＿ＳＯＣが０となっていると判定された際に、ステップ１５２にて操作パネル６０にこれをポップアップ表示させ、さらに、ステップＳ１５３にて操作パネル６０に内蔵されたブザーを所定時間（本実施形態では、２秒間）作動させる。
【０２４４】
その他の車両用空調装置１の構成および作動は、第１実施形態と同様である。従って、本実施形態の車両用空調装置１によれば、制御ステップＳ１１４２にて説明したように、マイルーム空調時には、使用許可電力ｆ（ＰＯＷＥＲ）から実際の消費電力を減算した消費電力差の増加に伴って、圧縮機１１の回転数変化量の上限値Δｆ＿ＭＹを増加させるように決定している。
【０２４５】
従って、使用許可電力ｆ（ＰＯＷＥＲ）から実際の消費電力を減算した消費電力差が小さいときには、圧縮機１１の回転数を急変させて消費電力が使用許可電力ｆ（ＰＯＷＥＲ）が超えてしまうことを防止できるので、バッテリ８１の過放電を防止してバッテリ８１の劣化を効果的に抑制できる。一方、使用許可電力ｆ（ＰＯＷＥＲ）から実際の消費電力を減算した消費電力差が大きいときには、圧縮機１１の回転数変化量を大きくして、即効性の高い空調を実現することができる。
【０２４６】
さらに、制御ステップＳ１１４３および制御ステップＳ７０２にて説明したように、マイルーム空調時にバッテリ８１の蓄電残量が基準停止蓄電残量（具体的には、３０％）以下になった際に、圧縮機１１および送風機３２を停止させて、車両用空調装置１の作動を停止させることができる。従って、バッテリ８１の過放電を防止できるとともに、次回の車両走行時にＥＶ運転モードにて、所定の走行距離を確実に走行することができる。
【０２４７】
さらに、制御ステップＳ１５で説明したように、マイルーム空調時にバッテリ８１の蓄電残量が基準停止蓄電残量以下となって、車両用空調装置１が停止した際に、これを乗員に報知することができるので、例えば、乗員がマイルーム空調時に車室内で仮眠をとっている場合でも、空調が停止していることを乗員に報知して、乗員が熱中症などになってしまうことも防止できる。
【０２４８】
（第３実施形態）
本実施形態では、第１実施形態に対して、圧縮機１１の制御態様を変更して、第２実施形態と同様に、効果的にバッテリ８１の劣化の抑制を図った例を説明する。具体的には、本実施形態では、第１実施形態の図１１に対応する制御フローを図１９に示すように変更している。
【０２４９】
まず、ステップＳ１１１〜Ｓ１１３については、第１、第２実施形態と同様である。さらに、図１９においても、第２実施形態と同様に、図示の明確化のためステップＳ１１１およびＳ１１２のファジールール表の記載を省略している。
【０２５０】
ステップＳ１１３にて、マイルーム空調としての作動ではないと判定された際には、ステップＳ１１６へ進む。一方、ステップＳ１１３にて、マイルーム空調としての作動であると判定された際には、ステップＳ１１４４へ進み、バッテリ８１の蓄電残量が、次回の車両走行時にＥＶ運転モードにて、所定の走行距離を確実に走行するために充分であるか否かの蓄電残量フラグｆ（ＳＯＣ）を決定する。
【０２５１】
具体的には、バッテリ８１の蓄電残量が予め定めた第１基準停止蓄電残量（本実施形態では８０％）以上であれば、バッテリ８１の蓄電残量が次回の車両走行時にＥＶ運転モードにて所定の走行距離を確実に走行するために充分であるとして、蓄電残量フラグｆ（ＳＯＣ）を１に決定する。
【０２５２】
さらに、予め定めた第２基準停止蓄電残量（本実施形態では３０％）以下であれば、バッテリ８１の蓄電残量が次回の車両走行時にＥＶ運転モードにて、所定の走行距離を確実に走行するために不充分であるとして、蓄電残量フラグｆ（ＳＯＣ）を０に決定して、ステップＳ１１４５へ進む。
【０２５３】
ステップＳ１１４５では、蓄電残量フラグｆ（ＳＯＣ）＝１であるか否か判定され、蓄電残量フラグｆ（ＳＯＣ）＝１であれば、ステップＳ１１４６へ進み、第２実施形態で説明した使用許可電力ｆ（ＰＯＷＥＲ）を２５００Ｗに決定して、ステップＳ１１４７へ進む。
【０２５４】
一方、ステップＳ１１４５にて、蓄電残量フラグｆ（ＳＯＣ）＝１でなければ、ステップＳ１１４８へ進み、第１実施形態のステップＳ１９２と同様に、外部電源の電圧（実行値）が１００Ｖであるか、２００Ｖであるかを判定する。ステップＳ１１４８にて、外部電源の電圧が１００Ｖであると判定された場合には、ステップＳ１１４９へ進み、使用許可電力ｆ（ＰＯＷＥＲ）を９００Ｗに決定して、ステップＳ１１４７へ進む。
【０２５５】
また、ステップＳ１１４８にて、外部電源の電圧が２００Ｖであると判定された場合には、ステップＳ１１５０へ進み、使用許可電力ｆ（ＰＯＷＥＲ）を１７００Ｗに決定して、ステップＳ１１４７へ進む。ステップＳ１１４７では、第２実施形態のステップＳ１１４２と同様に、圧縮機１１の回転数変化量Δｆが決定されて、ステップＳ１１６へ進む。
【０２５６】
ステップＳ１１６、Ｓ１１７１、Ｓ１１８１における制御処理は、第２実施形態と同様である。そして、ステップＳ１１９２では、前回の圧縮機回転数ｆｎ−１に回転数変化量Δｆを加えた値を、今回の圧縮機回転数ｆｎと決定して、ステップＳ１２へ進む。なお、ステップＳ１１９２における圧縮機回転数ｆｎの決定は、制御周期τ毎に行われるものではなく、所定の制御間隔（本実施形態では１秒）毎に行われる。
【０２５７】
その他の車両用空調装置１の構成および作動は、第１実施形態と同様である。従って、本実施形態では、マイルーム空調時に、バッテリ８１の蓄電残量が次回の車両走行時にＥＶ運転モードにて所定の走行距離を確実に走行するために充分である場合には、第２実施形態と同様に、圧縮機１１の回転数変化量の上限値Δｆ＿ＭＹを決定することができる。
【０２５８】
これにより、第２実施形態と同様に、消費電力差が小さいときには、圧縮機１１の回転数が急変してしまうことを抑制して、バッテリ８１の過放電を防止できるので、バッテリ８１の劣化を効果的に抑制できる。一方、消費電力差が大きいときには、圧縮機１１の回転数変化量を大きくして、即効性の高い空調を実現することができる。
【０２５９】
さらに、本実施形態では、マイルーム空調時であっても、バッテリ８１の蓄電残量が次回の車両走行時にＥＶ運転モードにて所定の走行距離を確実に走行するために不充分である場合には、外部電源の電圧の低下に伴って、使用許可電力ｆ（ＰＯＷＥＲ）を低下させるように決定しているので、外部電源の電圧の低下に伴って、圧縮機１１の回転数変化量の上限値Δｆ＿ＭＹの最大値を小さくすることができる。
【０２６０】
これにより、外部電源の電圧の低下に伴って、圧縮機１１の回転数が上昇しにくくなり、圧縮機１１の消費電力を低減して、外部電源から供給される電力のうちバッテリ８１へ充電される電力を増加させることができる。従って、バッテリ８１の過放電を抑制して、バッテリ８１の劣化を効果的に抑制できる。
【０２６１】
（第４実施形態）
本実施形態では、第１実施形態に対して、圧縮機１１の制御態様を変更して、第２実施形態の使用許可電力ｆ（ＰＯＷＥＲ）と同様に定義される車両用空調装置１の各種電動式構成機器１１、１６ａ、３２、４０ａの使用可能な消費電力の上限値としての使用許可電力ｆ（ＴＩＭＥＲ）をマイルーム空調の作動とともに経時的に変化させることによって、マイルーム空調時の車両用空調装置１の騒音の抑制と、バッテリ８１の劣化の抑制を図った例を説明する。
【０２６２】
具体的には、本実施形態では、第１実施形態の図１１に対応する制御フローを図２０に示すように変更している。まず、ステップＳ１１１〜Ｓ１１３については、第１〜第３実施形態と同様である。さらに、図２０においても、第２、第３実施形態と同様に、図示の明確化のためステップＳ１１１およびＳ１１２のファジールール表の記載を省略している。
【０２６３】
ステップＳ１１３にて、マイルーム空調としての作動であると判定された際には、ステップＳ１１５１へ進み、使用許可電力ｆ（ＴＩＭＥＲ）を決定して、ステップＳ１１５２へ進む。このステップＳ１１５１では、使用許可電力ｆ（ＴＩＭＥＲ）をマイルーム空調の開始から時間経過に伴って徐々に低下させている。
【０２６４】
より具体的には、図２０のステップＳＳ１１５１に図示するように、マイルーム空調の開始から２分間は、使用許可電力ｆ（ＴＩＭＥＲ）＝２８００Ｗに決定し、次の１分間は、使用許可電力ｆ（ＴＩＭＥＲ）＝２５００Ｗに決定し、さらに、次の１分間は、使用許可電力ｆ（ＴＩＭＥＲ）＝２２００Ｗに決定する。これ以降は、使用許可電力ｆ（ＴＩＭＥＲ）＝２１００Ｗに決定する。
【０２６５】
続くステップＳ１１５２では、第２実施形態のステップＳ１１４２および第３実施形態のステップＳ１１４７と同様に、圧縮機１１の回転数変化量Δｆが決定されて、ステップＳ１１６へ進む。ステップＳ１１６、Ｓ１１７１、Ｓ１１８１における制御処理は、第２実施形態と同様である。
【０２６６】
一方、ステップＳ１１３にて、マイルーム空調としての作動ではないと判定された際には、ステップＳ１１６１へ進む。ステップＳ１１６１、Ｓ１１７、Ｓ１１８における制御処理は、第１実施形態の図１１のステップＳ１１６、Ｓ１１７、Ｓ１１８における制御処理と同様である。
【０２６７】
そして、続くステップＳ１１９２では、第３実施形態と同様に、前回の圧縮機回転数ｆｎ−１に回転数変化量Δｆを加えた値を、今回の圧縮機回転数ｆｎと決定して、ステップＳ１２へ進む。なお、ステップＳ１１９２における圧縮機回転数ｆｎの決定は、制御周期τ毎に行われるものではなく、所定の制御間隔（本実施形態では１秒）毎に行われる。その他の車両用空調装置１の構成および作動は、第１実施形態と同様である。
【０２６８】
本実施形態では、制御ステップＳ１１５１にて説明したように、マイルーム空調の開始から時間経過に伴って、各種電動式構成機器１１、１６ａ、３２、４０ａの使用可能な使用許可電力ｆ（ＴＩＭＥＲ）を徐々に低下させるので、時間経過に伴って、各種電動式構成機器１１、１６ａ、３２、４０ａの能力も徐々に低下させることができる。従って、各種電動式構成機器１１、１６ａ、３２、４０ａによって生じる騒音を、時間経過に伴って低減することができる。
【０２６９】
さらに、マイルーム空調の初期には、各種電動式構成機器１１、１６ａ、３２、４０ａに高い能力を発揮させて、即効性の高い空調を実現できる。この際、冷房モードであれば、室内蒸発器２６の冷媒蒸発温度を速やかに低下させることができるので、室内蒸発器２６の表面を速やかに湿潤させることができる。これにより、室内蒸発器２６の表面が乾いた際に室内へ流れる悪臭の発生を抑制できる。
【０２７０】
さらに、マイルーム空調開始後の初期の短期間であれば、各種電動式構成機器１１、１６ａ、３２、４０ａよって生じる騒音レベルが高くても、各種電動式構成機器１１、１６ａ、３２、４０ａの作動音が乗員あるいは車両周囲に居る人にとって耳障りとなりにくい。さらに、各種電動式構成機器１１、１６ａ、３２が高能力を発揮しながら作動する時間を短縮化させて、これらの耐久寿命の低下を抑制することもできる。
【０２７１】
さらに、制御ステップＳ１１５２にて説明したように、マイルーム空調時には、使用許可電力ｆ（ＴＩＭＥＲ）から実際の消費電力を減算した消費電力差の増加に伴って、圧縮機１１の回転数変化量の上限値Δｆ＿ＭＹを増加させるように決定している。従って、第２、第３実施形態と同様に、消費電力差が小さいときには、圧縮機１１の回転数が急変してしまうことを抑制して、バッテリ８１の過放電を防止できるので、バッテリ８１の劣化を効果的に抑制できる。
【０２７２】
また、本実施形態のように時間経過に応じた使用可能電力ｆ（ＴＩＭＥＲ）が決定されている場合には、さらに、マイルーム空調の継続作動時間（例えば、２０分）を設定しておくことで、マイルーム空調における車両用空調装置１のおおよその総電力消費量を見積もることが可能となる。従って、この総電力消費量および外部電源から供給可能な電力に基づいて、使用可能電力ｆ（ＴＩＭＥＲ）を設定しておくことで、バッテリ８１の過充電および過放電を効果的に抑制できる。
【０２７３】
（第５実施形態）
第４実施形態では、マイルーム空調時に各種電動式構成機器１１、１６ａ、３２、４０ａの使用可能な消費電力の上限値である使用許可電力ｆ（ＴＩＭＥＲ）を経時的に変化させた例を説明したが、この例では、圧縮機１１の回転数（冷媒吐出能力）の上限値を経時的に変化させる例を説明する。
【０２７４】
具体的には、本実施形態では、第１実施形態の図１１に対応する制御フローを図２１に示すように変更している。まず、ステップＳ１１１〜Ｓ１１３については、第１〜第４実施形態と同様である。さらに、図２１においても、第２〜第４実施形態と同様に、図示の明確化のためステップＳ１１１およびＳ１１２のファジールール表の記載を省略している。
【０２７５】
ステップＳ１１３にて、マイルーム空調としての作動であると判定された際には、ステップＳ１１５３へ進み、圧縮機１１の回転数の上限値ＩＶＯｍａｘを決定して、ステップＳ１１６へ進む。このステップＳ１１５２では、上限値ＩＶＯｍａｘをマイルーム空調の開始から時間経過に伴って徐々に低下させている。
【０２７６】
より具体的には、図２１のステップＳ１１５３に示すように、マイルーム空調の開始から２分間は、上限値ＩＶＯｍａｘ＝８０００ｒｐｍに決定し、次の１分間は、上限値ＩＶＯｍａｘ＝６０００ｒｐｍに決定し、さらに、次の１分間は、上限値ＩＶＯｍａｘ＝５０００ｒｐｍに決定する。これ以降は、上限値ＩＶＯｍａｘ＝４０００ｒｐｍに決定する。
【０２７７】
一方、ステップＳ１１３にて、マイルーム空調としての作動ではないと判定された際には、ステップＳ１１５へ進み、上限値ＩＶＯｍａｘ＝１００００ｒｐｍに決定し、ステップＳ１１６へ進む。ステップＳ１１６、Ｓ１１７、Ｓ１１８、Ｓ１１９における制御処理は、第１実施形態と同様である。また、その他の車両用空調装置１の構成および作動は、第１実施形態と同様である。
【０２７８】
本実施形態では、制御ステップＳ１１５３にて説明したように、マイルーム空調の開始から時間経過に伴って、圧縮機１１の回転数（冷媒吐出能力）の上限値を徐々に低下させるので、電動式構成機器のうち比較的騒音レベルの高い圧縮機１１によって生じる騒音を、時間経過に伴って低減することができる。従って、第４実施形態と同様の効果を得ることができる。
【０２７９】
（第６実施形態）
上述の各実施形態では、冷房モード、暖房モード、第１除湿モードおよび第２除湿モードの冷媒回路を切替可能に構成された冷凍サイクル１０を採用した例を説明したが、本実施形態では、図２２に示すように、冷媒回路の切替機能を有していない冷凍サイクル１０を採用している。なお、図２２では、第１実施形態と同一もしくは均等部分には同一の符号を付している。
【０２８０】
具体的には、本実施形態の冷凍サイクル１０は、圧縮機１１、室外熱交換器１６、温度式膨張弁２７、室内蒸発器２６をこの順で環状に接続したもので、送風機車室内へ送風される送風空気を冷却する機能を果たす。つまり、上述の各実施形態における冷房モードを実現可能に構成されている。
【０２８１】
従って、本実施形態の冷凍サイクル１０では、冷媒回路切替手段である各電磁弁１３〜２４は廃止されている。さらに、圧縮機１１の冷媒吸入口に接続されたアキュムレータ２９を廃止して、室外熱交換器１６流出冷媒の気液を分離して余剰冷媒を蓄える高圧側気液分離器であるレシーバ２９ａを設けている。その他の構成は、第１実施形態と同様である。
【０２８２】
さらに、本実施形態の作動は、基本的に第１実施形態の図７に示す制御フローに基づいて実行されるが、本実施形態では、冷媒回路切替手段である各電磁弁１３〜２４が廃止されているので、ステップＳ６、Ｓ１６等の冷媒回路の切り替えに関する制御は廃止されている。また、例えば、第１実施形態の図１１のＳ１１２等の冷房モード以外の運転モードに関する制御も廃止されている。
【０２８３】
さらに、例えば、第１実施形態の図１１の制御ステップＳ１１６等に示す、運転モードが冷房モードであるか否かの判定は実施されない。具体的には、図１１の制御ステップＳ１１６等は廃止してもよいし、ステップＳ１１６の判定時に、常時、冷房モードであると判定されるようにすればよい。
【０２８４】
従って、本実施形態のように、送風機車室内へ送風される送風空気を冷却する冷房モードを実現する機能に特化された冷凍サイクル１０を採用する車両用空調装置１であっても、上述の各実施形態に記載された制御態様を適用することで、上述の各実施形態に記載された効果を得ることができる。
【０２８５】
（他の実施形態）
本発明は上述の実施形態に限定されることなく、本発明の趣旨を逸脱しない範囲内で、以下のように種々変形可能である。
【０２８６】
（１）上述の各実施形態では、温度調整手段として、蒸気圧縮式の冷凍サイクル１０および冷却水回路４０を採用した例を説明したが、温度調整手段はこれに限定されない。つまり、車両用空調装置１において、車室内へ送風される空気の温度調整を行う構成であれば、温度調整手段として採用することができる。
【０２８７】
例えば、温度調整手段として、乗員が着座するシートに設けられた吹出穴から空調されたシート空調用の空気を送風するシート空調装置を採用することもできる。この場合は、シート空調用の送風機が電動式構成機器となる。
【０２８８】
また、上述の実施形態に開示されたＰＴＣヒータ３７は、作動時に騒音を発生させるものではないが、マイルーム空調時に、マイルーム空調以外の時よりも加熱能力が低下するように制御することで、バッテリ８１の過放電を抑制して、バッテリの寿命低下を抑制できる。
【０２８９】
（２）上述の実施形態では、外部電源から供給される電力によって車室内の空調を実行する運転モードとして、外部電源からバッテリ８１への充電中に乗員が車室内で過ごす際のマイルーム空調について説明したが、各実施形態で説明した制御を外部電源からバッテリ８１への充電中に実行されるプレ空調時に適用してもよい。
【０２９０】
（３）上述の第１〜第５実施形態では、冷媒回路を切り替えることによって車室内へ送風される送風空気を加熱あるいは冷却する冷凍サイクル１０を採用し、第６実施形態では、送風空気を冷却する冷凍サイクル１０を採用した例を説明したが、もちろん、圧縮機１１吐出冷媒を放熱させる放熱器を室内熱交換器として、冷媒を蒸発させる蒸発器を室外熱交換器として送風空気を加熱するヒートポンプサイクルを採用してもよい。
【０２９１】
（４）上述の実施形態では、本発明の車両用空調装置１を、プラグインハイブリッド車両の車両走行用の駆動力について詳細を述べていないが、本発明の車両用空調装置１は、エンジンＥＧおよび走行用電動モータの双方から直接駆動力を得て走行可能な、いわゆるパラレル型のハイブリッド車両に適用してもよいし、エンジンＥＧを発電機８０の駆動源として用い、発電された電力をバッテリ８１に蓄え、さらに、バッテリ８１に蓄えられた電力を供給されることによって作動する走行用電動モータから駆動力を得て走行する、いわゆるシリアル型のハイブリッド車両に適用してもよい。
【０２９２】
また、本発明の車両用空調装置１を、エンジンＥＧを備えることなく車両走行用の駆動力を走行用電動モータのみから得る電気自動車に適用してもよい。
【符号の説明】
【０２９３】
１０        冷凍サイクル
１１        圧縮機
１６ａ      送風ファン
３２        送風機
４０        冷却水回路
４０ａ      冷却水ポンプ
【図１】
0005569308.tif 000002
【図２】
0005569308.tif 000003
【図３】
0005569308.tif 000004
【図４】
0005569308.tif 000005
【図５】
0005569308.tif 000006
【図６】
0005569308.tif 000007
【図７】
0005569308.tif 000008
【図８】
0005569308.tif 000009
【図９】
0005569308.tif 000010
【図１０】
0005569308.tif 000011
【図１１】
0005569308.tif 000012
【図１２】
0005569308.tif 000013
【図１３】
0005569308.tif 000014
【図１４】
0005569308.tif 000015
【図１５】
0005569308.tif 000016
【図１６】
0005569308.tif 000017
【図１７】
0005569308.tif 000018
【図１８】
0005569308.tif 000019
【図１９】
0005569308.tif 000020
【図２０】
0005569308.tif 000021
【図２１】
0005569308.tif 000022
【図２２】
0005569308.tif 000023